(57)【要約】音波集束装置を含むノイズ低減エアダクトマイクロホン、ノイズ低減安全イヤホン、およびノイズ低減安全ブルートゥース（登録商標）イヤホンに関する。音響信号取得ユニットは、音波コンセントレータの大きな端部に設けられる。音響波信号および外部音響波信号を増幅し、音響波信号を音響波コンセントレータの小さな端に出力する。送風管の音波信号は音響電気信号に変換され、受信装置は音響電気信号をコネクタを介して音声端末または通信機に接続する。音の情報は送風ダクトを介して送信される。送風ダクトは比較的長く設定できるため、放射線源を備えた電磁波装置から離れることができます。長距離ノイズ低減マイクは、マイク、マイク、またはヘッドセットの構造の一部として単独で使用できる。通話や録音などに使用され、ノイズや放射線を低減する。【選択図】図３４
2020536463.tif 000002
【特許請求の範囲】
【請求項１】
ノイズ低減エアダクトマイク音波コンセントレーターが含まれ、音波コンセントレーターの大端に音声信号キャプチャーユニットが備えられて、音声信号キャプチャーユニットは、外部音波信号をキャプチャーし、外部音波信号を増幅して、小型音波コンセントレーターに出力し、最後に音波集束器の小さい方の端が空気ダクトに接続され、空気ダクトのもう一方の端が受信機デバイスに接続され、受信機デバイスは、空気管の音波信号を受信して音響電気信号に変換し、受信機デバイスはコネクタを通過する音声電気信号を音声端末または通信デバイスに接続すること。 
【請求項２】
前記音声信号取得部は、振動膜であることを特徴とする請求項１に記載のノイズ低減エアダクトマイク。 
【請求項３】
振動板の外面にカバーを追加し、カバーに複数の貫通孔を設けて振動板を音響波集束器の大端に固定することを特徴とする請求項２に記載のノイズ低減エアダクトマイクロホンであり、マイクを構成すること。 
【請求項４】
送風ダクトの他端が音響波増幅器の小端に接続され、音響波増幅器の大端が小型マイクロフォンの受信面から小型マイクロフォンに接続されることを特徴とする請求項２に記載の特性であり、カバーの周囲とすべての接続部は密閉され、
小型マイクの配線をアンプに接続し、実際のニーズに応じて増幅力を決定し、アンプの出力を金属シールド絶縁線に接続し、コネクタを介してコミュニケータなどの端子に接続すること。 
【請求項５】
前記音声信号取得部は、一次マイク、アンプ、スピーカを含み、前記スピーカの放音口は、前記音波集束器の大端と、前記音波集束器の小端とに接続され、請求項１に記載のノイズ低減コンバータであり、送風ダクトが接続され、送風ダクトのもう一方の端がセカンダリ電話受信デバイスに接続され、セカンダリ電話受信デバイスは、エアダクトの音波信号を受信して音声電気信号に変換し、音声受信デバイスはコネクタを介して音声電気信号を変換する音声端末や通信機器を接続すること。 
【請求項６】
前記二次電話受信装置は、ホーン形状の音波増幅器を含み、前記音波増幅器の小さい端部は空気ダクトに接続され、前記音波増幅器ホーンは、請求項１に記載のノイズ低減コンバータであり、口の大端はマイクに接続され、アンプはマイクの出力に接続され、アンプの出力端は金属シールド絶縁ラインに接続され、コネクタを介して音声端子に接続されること。 
【請求項７】
以下を含むことを特徴とするノイズ低減安全ヘッドセット：
イヤホンヘッド、音空洞本体はイヤホンヘッドの内部に形成され、音空洞本体の第一端は音出口を有し、
本体と本体の内部に音響波集束キャビティが設けられ、音響波集束キャビティにチャネルポートが開口し、チャネルポートと音響キャビティ体の第２端とが音響波伝送チャネルを介して連通し、
マイクロスピーカー、音波集中空洞は、マイクロスピーカーと音波伝送チャネルの間に提供され、
マイクロスピーカーは、本体の外側に位置するワイヤーの第一端に接続され、ワイヤーの第二端は、プラグ、請求項１から６のいずれか一項に記載のエアダクトマイクロホン、またはノイズ低減コンバーターに接続されること。 
【請求項８】
前記ノイズ低減安全イヤホンは請求項７に記載のノイズ低減安全イヤホンであり、モノバイノーラルの頭部装着型であり、左耳補聴カバー、左耳ハウジング、音響空洞カバー、右耳、イヤーマフ、右耳シェル、ヘッドバンド、スイッチとスイッチシェル、ノイズリダクションユニバーサルトランスミッションアーム、ノイズリダクションコンバーター、シェル、スピーカーシェル、プラグを備えて、プラグからの信号は、コミュニケーターからの信号の金属シールド絶縁ラインに接続されるオーディオ信号ケーブルの受信信号線は大型スピーカーに接続され、大型スピーカーの他端は音波集束器の大端の周囲に接続され、音波集束器の小端は複合空気ダクトの大管に接続され、大管の他端はティーに接続される長い方の端はケーブルタイで結ばれ、T型のもう一方の端はシーリングリングに接続され、シーリングリングのもう一方の端は右耳の分岐エアダクトに接続され、右耳の分岐エアダクトのもう一方の端はシールリングに接続され、シールリングのもう一方の端はエルボに接続され、ヘッドのもう一方の端はサウンドキャビティに接続されており、エルボーの底部には取り付けプレートがあり、右耳のシェルにネジで固定され、サウンドキャビティの出口には多孔性のカバープレートが付いて、
ティーの上に小さなパスチューブがあり、小さなパスチューブの一端にティーを接続する小さな音波集中ポートがあり、小さなパスチューブの他端が小さなサウンドキャビティに接続されており、サウンドキャビティカバープレートが小さなサウンドキャビティの上にあり、サウンドキャビティカバープレート複数の貫通穴付き、
可動フレームは、ボウフレームと右耳ブランチのエアダクトが設定されたスイング角度で移動できるようにするために提供され、シールリングはスイング軸に設定され、ゴムなどの柔軟な材料がボウフレームと右耳のエアダクトの動きを柔軟にするために使用され、 
小さなチューブの内径はT字の内径よりもはるかに小さく、特定のサイズは右耳につながる分岐カテーテルの減衰値によって計算および決定されるため、両側の耳の音量は同じになり、
ティーの底には取り付けプレートがあり、取り付けプレートは左耳シェルの底面に取り付けられている。右スピーカーのサウンドチャンバーのカバーと左耳のサウンドチャンバーのカバープレートの間の大きなスピーカーアウトレットからの接続はシールされ、
防音ユニバーサルトランスミッションアームの先端にシェルを取り付け、シェルに音響管を取り付け、音響管にカバー、振動板、音波集束器、送風ダクトを含み、送風ダクトを防音ユニバーサルトランスミッションから伝達するアームは左耳シェルに挿入され、ハードコネクタに接続され、ハードコネクタのもう一方の端は、複合エアチューブの小管の一端に挿入され、コンポジットエアチューブの小管の他端は、アイソレーションプレートを介して湾曲したハードチューブに接続され、チューブは小さなマイクの小さなホーンの小さな端に接続されており、小さなホーンの大きな端は小さなマイクの受信面に接続され、小さなマイクのワイヤは、スイッチの制御を介して金属シールド絶縁ラインの受信ラインに接続され、受信システムがオンまたはオフになっているので、相手はユーザーの音声を聞いたり聞いたりしたり、コネクタを介してコミュニケータを接続したりして、パッシブオーディオ信号を小さなマイクに直接送信して、変換せずにアクティブ信号を生成できて、振動メンブレンを音響コンセントレーターの大端に設置するように設定し、カバーを振動メンブレンの外側に追加するか、カバーを音響コンセントレーターの大端に設置するか、またはハウジングをカバーとして設定し、音響コンセントレーターをハウジングに設置して複数を開く小さな穴ダイヤフラムクランプ、各接続の周囲が封止され、 
大型スピーカーとマイクを絶縁するための絶縁板がケーシングに設けられており、大型スピーカーがマイクと干渉するのを防ぐために、ワイヤーは絶縁板を通過して接着剤で密閉され、  
マイクの出力信号の電力が足りない場合は、マイクの出力にアンプの音声回路を設けてマイクの出力音声信号を増幅し、このアンプ回路は大型スピーカーのアンプ回路と電源を共有するか、回路基板にまとめて設置し、ハウジング内の電源、またはコミュニケーターから電源コードを引き出すこと。 
【請求項９】
前記イヤホンは、航空機のヘッドマウント型のノイズリダクションイヤホンであり、その構造は、革のヘッドバンドが鋼製のヘッドボウで縫合され、調整可能なブラケットがボルトで固定され、調整可能であることを特徴とする請求項７に記載のノイズリダクションイヤホンであり、ブラケットと固定ブラケットは、セルフロッキングナットで固定され、固定ブラケットは、ロックコラムを介して左耳シェルに接続され、右耳シェルと左耳シェルは、対称的に接続され、同じ方法で固定され、 
ノイズ低減マイクは、マイクのシェルに取り付けられており、カバー、振動板、音波集束器、送風ダクトで構成され、アクティブなオーディオ信号をパッシブな送信信号に変換し、送風ダクトを通じて送信し、ユニバーサルホース接続、左右のサウンドキャビティがイヤーシェルに設定され、右のサウンドキャビティのエアダクトがスチールのボウブラケットに沿って左のイヤーシェルを介して右のイヤーシェルのサウンドキャビティに接続され、またはスピーカーのシェルが右のイヤーシェルに斜めに接続されている内側から右の空洞まで。 
【請求項１０】
前記イヤホンは、左耳用補聴器、左耳用筐体、音響空洞カバー、右耳用補聴器、右耳用筐体、ヘッドバンド、スイッチおよびスイッチシェル、ノイズリダクショントランスミッションアーム、ノイズリダクションコンバーター、シェル、スピーカーシェル、プラグを備えた両耳装着型であることを特徴とする請求項７に記載のノイズ低減イヤホンであり、プラグからの信号は、コミュニケーターからの信号の金属シールド絶縁ラインのオーディオ信号ラインに接続し、大型スピーカーには、大型スピーカーのもう一方の端が音波コンセントレーターの大きな端に接続され、音波コンセントレーターの小さな端が複合空気ダクトの大きなチューブに接続され、大きなチューブのもう一方の端がティーの長い端に接続され、ケーブルタイで結ばれ、シールリングの他端は右端分岐エアダクトに接続され、右耳分岐エアダクトの他端はシールリングに接続され、シールリングの他端はエルボーに接続され、エルボの他端はサウンドキャビティに接続され、エルボ底面には、右耳シェルに固定された取り付け板があり、音響空洞の出口に多孔性カバー板があり、 
ティーの上に小さなパスチューブがあり、小さなパスチューブの一端にティーを接続する小さな音波集中ポートがあり、小さなパスチューブの他端が小さなサウンドキャビティに接続されており、サウンドキャビティカバープレートが小さなサウンドキャビティの上にあり、サウンドキャビティカバープレート複数の貫通穴付き、 
可動溝は、ボーフレームと右耳の分岐エアダクトが設定されたスイング角度で移動できるようにするために提供され、シールリングはスイング軸に設定され、ゴムなどの柔軟な素材がバウフレームと右耳のエアダクトの動きを柔軟にするために使用され、 
小さなチューブの内径はT字の内径よりも小さく、特定のサイズは右耳につながる分岐カテーテルの減衰値によって計算および決定されるため、両側の耳の音量は同じになり、 
ティーの底に取り付けプレートがあり、取り付けプレートに小さな穴があり、ネジを使用して左耳シェルの底面に取り付け、位置決めピンを設定してティーを左耳シェルの底面に正確に取り付け、大型スピーカーから音を出力する右耳腔のカバーと左耳腔のカバーの間の接続はすべて密封され、 
ボリュームが小さすぎる場合、またはオーディオアンプ回路が大型スピーカーの前に配置されている場合、アンプ回路は大型スピーカーのハウジングに設置され、アンプ回路の電力は必要に応じて選択され、 
完全なノイズリダクション変換システムがインストールされ、ノイズリダクションのプライマリマイクがスピーカーをアンプに押し込み、スピーカーのサウンドアウトレットが音波コンセントレーターの大端に接続され、音波コンセントレーターの小端が空気ダクトに接続され、空気ダクトがノイズリダクションユニバーサルトランスミッションアームは左耳シェルに挿入され、ハードコネクタに接続され、ハードコネクタのもう一方の端は、複合エアダクトの小さなパイプの一端に挿入され、複合エアダクトの小さなパイプのもう一方の端は、湾曲したハードパイプに接続され、アイソレーションボードは、小さなホースを介してサウンドアンプの小さい方の端に接続され、サウンドアンプの大きい方の端はマイクの受信側に接続され、マイクワイヤーは、スイッチの制御を介して金属シールドされた絶縁ラインの受信ラインに接続され、次にコネクタを介して接続され、コミュニケーターに接続し、コンバーターのバッテリーをコンバーターハウジングに取り付け、電源オフを示すインジケーターライトをコンバーターハウジングに提供し、スイッチを使用して電源オフを制御し、スイッチをゴムパッドで密閉し、防水充電ジャックを提供するバッテリーを充電するには、スピーカーとアンプ回路とプライマリマイクの間のスロットボードにプラグイン絶縁ボードを挿入し、スロットボードには、柔軟な素材を配置して密閉し、スピーカーの配線は絶縁ボードを通過し、水ラバーシールは、コンバータハウジングは、螺合又は注射によるユニバーサルジョイントアーム、アームに固定されし、 
マイクに干渉しないように、大型スピーカーとマイクを分離するための絶縁板がケーシングに設けられていること。 
【請求項１１】
前記イヤホンヘッドが前記エアダクトに接続される位置にエアダクト可動コネクタが設けられ、その構造は以下のとおりであることを特徴とする請求項７に記載のノイズ低減イヤホンであり、内径は金属製のスリーブエアダクトで覆われており、コネクターの中空コアリベットでリベット留めされ、エアダクトのもう一方の端にもコネクターが配置され、その構造は上記のコネクターと同じで、スピーカーシェルの音波コンセントレーターに移動可能に接続できて、送風ダクトの両端の可動コネクタは対称で、両端を交換できること。 
【請求項１２】
送風ダクトに接続されたヘッドホンヘッドに送風ダクト可動コネクタを設け、その構造を以下のとおりとしたことを特徴とする請求項７記載のノイズ低減イヤホンであり、内孔の径はエアパイプの内径であり、可動ヘッドの他端の内孔はエアパイプの外径と同じ大きさに設定されており、この孔に接着剤でエアパイプが挿入され、可動ヘッドの外径がヘッドホンヘッドとエアパイプの形状に繋がっているサイズは同じで、イヤホンヘッド接続部の内穴加工ネジ穴のサイズを可動ヘッドAAに合わせ、使用時に取り外して交換できるエアダクトの他端を他の可動ヘッドに接続する可動ヘッドの構造は上記可動ヘッドと同じでヘッドの内径はエアダクトの接着剤に合わせて、ネジはスピーカーシェルのネジ穴に合わせて交換可能で、可動ヘッドAAと可動ヘッドBBのネジ山は同じで、ヘッドホンヘッドのネジ穴とスピーカーのネジ穴に交換可能で、
２つの空気ダクトに適用されるイヤホンがスピーカーシェル上にある場合、それに対応していくつかのネジ穴があり、イヤホンのヘッドにもいくつかのネジ穴があり、さまざまな可動ヘッドや空気ダクトを交換すること。 
【請求項１３】
以下の３つの回路のいずれか１つを備えることを特徴とする請求項７に記載のノイズ低減イヤホン：
１）ハイスピーカーとロースピーカーを搭載した初の回路： 
イヤホンは２つのスピーカーのオーディオ信号入力端子経路に分周回路を設け、コンデンサーC１を高周波スピーカーに追加し、容量は２.２μFであり、 
インダクタンスL１は低音のスピーカーのオーディオ信号入力端子のループから直列に接続され、インダクタンスは０.５７mHで、高低の低域のクロスオーバーポイントは４５００HZとして選択され、 
２）    ハイスピーカーとロースピーカーを装備した２番目の回路： 
コンデンサーC１を容量１.１μF、インダクタンス１.３１ mHをツイーターの入力端子と並列に接続し、インダクターL２をコンデンサーC２と容量１.１μFを並列接続してウーファー３０８の入力に接続し、 
３）３つのハイウェイとローバススピーカーを備えた３ウェイ周波数構成の３番目の回路の場合： 
ワンウェイツイーターの入力には、静電容量１μFのコンデンサC１が接続され、静電容量１.０２mHと並列にインダクタンスL１が接続され、双方向ミッドレンジスピーカーの入力の前にコンデンサC２が配置され、容量は１１.０６μFで、容量１.０２mHのインダクタンス、容量L２の１１.３２mHのインダクタンスL２を容量C２の容量１１.０６μFとインダクタンスL３容量１.０２mHの間に接続し、スピーカーの他端とコンデンサC３、３つクロスオーバーウーファーの入力端は、インダクターL４、１１.３２mHの容量、並列のコンデンサーC４、１１.０６μFの容量、低音の場合は４５０HZのクロスオーバー周波数、５０００HZの高周波と直列に接続され、 
上記の静電容量とインダクタンスの値は理論的に計算されており、各スピーカーの端子のエアダクトからサウンドキャビティへの周波数応答曲線を接続ポイントでテストし、コンデンサの容量または調整を周波数応答のテスト結果に応じて適切に調整する必要があるインダクターの容量は、周波数分割に達した後の周波数応答の後に、正しい良好な結果に達し、 
このようにして、各スピーカーは異なる周波数のサウンドを再生でき、入力オーディオ信号は各スピーカーから完全に送信され、良好な周波数応答が実現され、スピーカー間の位相エラーと歪みがなくなること。 
【請求項１４】
Ｂｌｕｅｔｏｏｔｈヘッドセットがオーディオ入力ジャックを備え、コネクタまたはコネクタがアダプタを備えていることを特徴とする請求項１から６のいずれか一項に記載の空気ダクトマイクに接続されたＢｌｕｅｔｏｏｔｈヘッドセットで、 オーディオ入力ジャックとの信号接続を形成すること。
【発明の詳細な説明】
【技術分野】
【０００１】
本発明は、エアダクトマイクロホン、ノイズ低減イヤホンおよびブルートゥース（登録商標）イヤホンに関する。
【背景技術】
【０００２】
携帯電話やその他の通信機器に付属しているイヤホンなど、一般的に使用されているイヤホンには、プラグ、ワイヤー、イヤフォンが含まれ、イヤフォンには小型スピーカーが装備されている。携帯電話を直接使用して通話を行うため、携帯電話から発生する超高周波磁場などの有害な放射線は、人々の脳と神経をひどく刺激し、人々の健康に影響を与える。電波や熱エネルギーなどのさまざまな放射線による人間の脳の損傷。ただし、スピーカーを直接イヤホンのヘッドに取り付けた通常のイヤホンを使用しても、イヤホンヘッドから耳の内側へのUHFワードフィールドなどの放射線を受信することにより、直接脳を損傷する危険を避けることはできません。さらに、内蔵スピーカー自体のイヤホンヘッドには、高さが１６００ガウスの永久磁場があり、これも人間の脳に損傷を与える。したがって、携帯電話またはそのようなイヤホンを長時間、高頻度で使用すると、頭痛、めまい、しびれなどの症状が生じやすくなる。
【０００３】
特許文献１：特許番号：ＺＬ０４８２８．４、名称：非放射性イヤホンなどの反電磁波放射イヤホンの既存技術が、一方には５-１０ cmの音波チャンネルしかないため、もう一方には金属が備わっていませんシールドされた絶縁ラインは、２mG（ミリガウス、以下同じ）または２mG未満の要件を満たしておらず、２mGまたは２mG未満の制御は、磁場が人体に有害であるためだ。スタンフォード大学博士で携帯電話発明者で台湾交通大学のShi Min教授からのリクエスト。したがって、先行技術のイヤホンは、電磁放射の上記の要件を満たすことができず、音の空洞などがない。したがって、周波数応答は良好ではありません。本発明者が出願した特許文献２：特許番号：２００８１０１６７２２６．５、および名称は安全イヤホンのアプリケーションドキュメント。安全イヤホンの５つの発明も開示されている。放射保護を実現し、音質を改善する方法が開示されている。この方法は、世界９か国から特許を取得していますが、この特許の音質は、従来のヘッドフォンの音質を超えていません。
【０００４】
既存のイヤホンとマイクには２つのタイプがある。１つ目は、携帯電話で一般的に使用されるイヤホン、イヤホンラインに設定される無線マイク、またはBluetoothヘッドセット、無線マイクはBluetoothイヤホンハウジングに設定され、マイク距離は使用されるユーザーの口の近くには一定の距離があり、ユーザーの声を明瞭に受信するにはマイクの無線感度を高く設定する必要がありますが、このデザインはユーザーが話す環境のさまざまなノイズも明確に受信する。顧客サービス担当者が使用するコールヘッドセットなどのバイノーラルヘッドセットなど、マイクは金属線で接続され、マイクはユーザーの口の近くに設置され、この構造はより大きな放射線を持っている。
【０００５】
電話固定電話、携帯電話、ノートブック、およびその他のデバイスなど、長距離のノイズリダクションマイクを備えたデバイスには、上記の問題が多く、ノイズが多い、または放射状のものがある。
【０００６】
要約すると、電磁放射を完全に防止し、従来の長距離騒音低減マイクよりも優れた騒音を低減できる長距離騒音低減マイクが大いに必要である。
【先行技術文献】
【特許文献】
【０００７】
【特許文献１】中国特許ＺＬ０４８２８．４
【特許文献２】中国特許２００８１０１６７２２６．５
【発明の概要】
【０００８】
本発明の目的は、従来技術の短所と欠点を克服し、主にエアダクトマイク、ワイヤー制御ノイズ低減ヘッドセット、およびヘッドセットを含む長距離ノイズ低減マイク、ノイズ低減ヘッドセット、およびBluetoothヘッドセットを提供すること。ノイズリダクションヘッドフォンなどでは、２つの耳に異なる周波数応答を持つ複数のスピーカーを使用して聴くため、周波数応答は特に良好で、従来のヘッドフォンよりも優れている。また、特別なノイズ低減スキームが設定され、さらに重要なことは低減ノイズ周波数信号変換システム。アクティブノイズ低減周波数信号の伝送をパッシブオーディオ信号の伝送に効果的に変換し、アクティブオーディオ信号の伝送に戻る。これにより、エアダクトのパッシブ信号伝送を１０００mmまたは１０００mmに配置できる。その他の長さの場合、金属シールドされた絶縁ラインが設定されているため、人体は通信機の放射から長い距離シールドされますが、マイクは音の口の近くに維持され、それにより良好なノイズ低減と高い放射線保護効果が実現される。音質が高いため、既存の耐放射線性のイヤホンマイクは遠くにあるため、ダクトの外側に配置する必要があるという技術的な問題を解決する。後方チューブの効果は、音がまだ小さい。
【０００９】
したがって、本発明は確かに、高強度の放射線保護、高音質、およびノイズ防止を備えた優れたノイズ低減イヤホンである。
【００１０】
ノイズリダクションエアダクトマイクには音波コンセントレーターが含まれており、音波コンセントレーターの大端部には、外部音波信号を捕捉して外部音波信号を増幅するために使用される音声信号捕捉ユニットがある。 音波は波の形で増幅されるか、電気信号に変換されて増幅された後、音波コンセントレータの小さな端に出力される。音波コンセントレータの小さな端は空気ダクトに接続され、空気ダクトのもう一方の端は受信機に接続される。 受信装置は、空気ダクトの音波信号を受信し、それを音響電気信号に変換し、音響電気信号をコネクタを介して音声端子に接続する。 音情報はエアダクトを介して送信される。エアダクトは比較的長く設定できるため、人々はある程度の放射線で電気機器から離れ、電話の受話器によって電気信号に変換され、コネクタを介して音声端末に送信される。エアダクトマイクは、マイクまたはマイクとして単独で使用でき、携帯電話、固定電話、コンピューター、ノートブック、およびネットワークを介して通信できるその他のデバイスなどの通信機器に接続できる。また、音声情報を収集するために使用される音声を録音できるデバイスは、通話に使用できる。 録音などは、ヘッドセット構造の一部として使用して音声情報を収集することもできる。
【００１１】
音響信号捕捉ユニットは振動フィルムです。 外部音波信号が振動板に到達し、振動板が振動し、音波信号を増幅してから、空気ダクトを伝播する。
【００１２】
カバーが振動膜の外側に取り付けられており、蓋には複数の貫通穴が設けられており、振動膜を音響コンセントレータの大端部に固定している。
【００１３】
音声信号キャプチャーユニットには、プライマリマイク、アンプ、スピーカーが含まれる。スピーカーのアウトレットは音波コンセントレータの大端に接続され、音波コンセントレータの小端はエアダクトに接続され、エアダクトの他端はレシーバーデバイスに接続される。 デバイスは、空気ダクトの音波信号を受信し、それを音声電気信号に変換し、受信機デバイスはコネクタを介して音声電気信号を音声端子に接続する。 音声信号キャプチャユニットは、ノイズリダクションコンバーターを構成する。
【００１４】
レシーバーにはスピーカー型のサウンドアンプが含まれており、サウンドアンプの小さい方の端がエアダクトに接続され、サウンドアンプの大きい方の端がマイクに接続され、マイク出力がアンプに接続され、アンプの出力端が金属シールドに接続されている。オフラインにし、コネクタを介して音声端末を接続する。マイクも呼び出すことができる。
【００１５】
上記のエアダクトマイクに接続されたBluetoothヘッドセット、Bluetoothヘッドセットにはオーディオ入力ジャックがあり、コネクターまたはコネクターと変換コネクターはオーディオ入力ジャックとの信号接続を形成する。 本発明のノイズ低減マイクロホンのコネクタ、またはブルートゥース（登録商標）ヘッドセットに適合したジャックにセットされたプラグまたはコネクタは、耐放射線ブルートゥース（登録商標）ヘッドセットとして使用することができる。
【００１６】
騒音低減エアダクトマイクとは
【００１７】
耳栓の頭部、音の空洞の本体は耳栓の頭部の内側に形成されており、音の空洞の本体の第１の端には音の出口がある。
【００１８】
本体には、本体の内部に音波集束キャビティが設けられ、音波集束キャビティにはチャネルポートが設けられており、チャネルポートと音響キャビティ本体の第２の端部は音波伝送チャネルを介して連通している。
【００１９】
ミニチュアスピーカー、音波集中空洞はミニチュアスピーカーと音波伝送チャンネルの間に配置されている。
【００２０】
マイクロスピーカーは本体の外側にあるワイヤーの第１端に接続され、ワイヤーの第２端はプラグに接続されている。
【００２１】
マイクまたはアクティブオーディオ信号をパッシブ伝送信号に変換してから、アクティブ信号伝送に戻るノイズ低減変換伝送システムエアダクトマイクである。
【００２２】
上記のノイズキャンセリングヘッドフォン
【００２３】
本体には音波集束装置が設けられており、両端はマイクロスピーカーの放音端の周囲と音波チャンネルポートの一端に気密に接続されており、マイクロスピーカーの音波は音波集束キャビティを通過し、音波伝達チャンネルを通過する。他方の端部は音響空洞本体に接続されており、音響空洞本体には音響出口が設けられており、音響空洞本体の音響出口には柔らかいスリーブが設けられている。
【００２４】
上記のノイズリダクションイヤホンは、本体内部にマイクが設置されており、本体にはマイクに対応した受け穴が設けられている。
【００２５】
本体にもスイッチが取り付けられており、マイクロスピーカーとマイクの両方がスイッチに接続され、次にワイヤーに接続される。
【００２６】
上記のノイズキャンセリングヘッドフォン
【００２７】
音波伝送チャネルは、絶縁材料で作られた管であり、音波伝送チャネルは、１〜６ mmの内径と２０〜８００ mmの長さを持っている。
【００２８】
音響空洞本体の容積は１００ｍｍ3-９０００ｍｍ3である。 
【００２９】
消音ポートが穴であり、放音ポートの直径がФ１-８mmである、または放音ポートが複数の穴を含み、各穴の直径がФ０.３-３mmである。
【００３０】
上述したように、音波伝達チャンネルの長さは２０-１０００mmである。
【００３１】
上記のノイズ低減イヤホンのように、音波集中空洞は逆ベルマウスの形状である。
【００３２】
上記のように、音響集中空洞の周囲の２つの対の斜辺または円弧または曲線では、各対の斜辺が逆ベル形を形成し、各対の斜辺または円弧または曲線が連携により形成される角度は９°〜１３０°である。
【００３３】
上述のように、音響波集中空洞の周りの２対の斜辺または弧または曲線の少なくとも１つは対称的である。
【００３４】
上記のノイズキャンセリングヘッドフォン
【００３５】
音響波集中空洞の周囲の斜辺または弧または曲線の２つのペアは非対称である。
【００３６】
上記のノイズキャンセリングヘッドフォン
【００３７】
逆トランペットの形状とは、音波集中キャビティの周囲が円弧状の逆トランペット形状である、または音波集中キャビティの周囲が斜め逆トランペット形状である、または音波集中である。空洞の周囲は、湾曲した逆ベルマウスの形状であり、音波集中空洞の周囲は、円弧状または湾曲した逆ベルマウスの形状と対角逆ベルマウスの形状からなる。
【００３８】
上記のノイズキャンセリングヘッドフォン
【００３９】
音波集束空洞の椎体の断面、または椎体の底面の水平断面は、楕円形、円形、長方形、または多角形であり、隣接する各２辺に円弧遷移がある。
【００４０】
上記のノイズキャンセリングヘッドフォン
【００４１】
本体の丸穴にマイクを設置し、マイクの受音面を外側に封じ、周囲を封止することで、本体の受音穴を通り、マイクの受音面手前のレシーバーを通過する次に、サウンドホールがマイクに送信される。
【００４２】
上記のノイズキャンセリングヘッドフォン
【００４３】
音波伝達チャンネルの一端は耳栓ヘッドの入力端に設置され、他端は音波集束空洞の小端に設置される。音波伝達チャンネルの両端は中空のリベットで挿入され、拡張されて音波を作る送信チャンネルの両端はそれぞれ耳栓ヘッドの入力端と音波集束器の小端に固定され、音波集束器の大端にはミニチュアスピーカーが装備され、３つの間の接続は密閉されている。
【００４４】
上記のノイズキャンセリングヘッドフォン
【００４５】
音波伝達チャンネルの一端は耳栓ヘッドの入力端にスリーブされ、他端は音波コンセントレーターの出力端にスリーブされる。音波伝達チャンネルの両端の外径は締め付けのためにスリーブされるコートである。
【００４６】
上記のノイズキャンセリングヘッドフォン
【００４７】
ワイヤは、金属でシールドされた絶縁ワイヤを採用して、ワイヤをアースにシールドする。
【００４８】
上記のノイズキャンセリングヘッドフォン
【００４９】
１つのマイクロスピーカー、１つの集音キャビティ、および１つのチャネルポートがある。マイクロスピーカーからの音は、チャネルポートに接続された音波伝送チャネルの１つを介して、耳栓ヘッドの１つに送信される。
【００５０】
上記のノイズキャンセリングヘッドフォン
【００５１】
２つのミニチュアスピーカー、２つの音響波集中キャビティがあり、１つのミニチュアスピーカーは音響波集中キャビティの１つの大きな端に対応し、各音響波集中キャビティの小さな端には１つのチャネルポートが設けられている１つのチャネルポートは１つの音波伝送チャネルに対応し、１つの耳栓ヘッドに対応する。
【００５２】
上記のノイズキャンセリングヘッドフォン
【００５３】
音波集中空洞は、小型で大型の構造をしている。
【００５４】
上記のノイズキャンセリングヘッドフォン
【００５５】
マイクロスピーカーは円形または楕円形である。
【００５６】
上記のノイズキャンセリングヘッドフォン
【００５７】
マイクロスピーカーは本体に垂直または斜めに配置されている。 
【００５８】
上記のノイズキャンセリングヘッドフォン
【００５９】
本体はなく、音波集音器とマイクロスピーカーをシェルにセットし、マイクとスイッチとボリュームコントロールを取り付けるための小さなシェルが用意されている。
【００６０】
上記のノイズキャンセリングヘッドフォン
【００６１】
空気ダクトを２０ mmの長さに設定するか、放射を防ぐために使い捨ての金属シールド絶縁ワイヤーを使用してください。
【００６２】
上記のノイズキャンセリングヘッドフォン
【００６３】
１）エアダクト付きヘッドマウントノイズキャンセリングヘッドフォン、両耳に取り付けられたサウンドキャビティは長さ２０〜１０００mmのオプションのエアダクトに接続され、オーディオワイヤーは透明または不透明な金属製シールドアイソレーションシールドで接地される。一端をプラグに接続し、他端をスピーカーに接続し、マイクの音声ケーブルの一端をプラグの他端に接続してマイクを拾う。マイクは、互いに隔離して干渉するためにハウジングに取り付けられている。
【００６４】
左右にスピーカーハウジング、または２つのスピーカーキャビティが取り付けられたスピーカーハウジングがあり、各スピーカーが取り付けられている。空気ダクトは他端に接続され、空気ダクトの他端は音空洞に密閉接続されている。 ３つのジョイントは密封されている。
【００６５】
２) 上記最初のヘッドホンはシングルタイプのスピーカーで、片方の耳に２つのスピーカーの音を聞くように設定する。つまり、片方の耳を上記のヘッドホンの２つのスピーカー取り付けシェルに取り付けるスピーカー、取り付けられているスピーカー、元のスピーカーの周波数応答は異なる。つまり、２つのスピーカーハウジングに２つの高周波数スピーカーと低周波数スピーカーが取り付けられ、２つのイヤホンのサウンドチャンネルが平行な位置に追加される。いずれもダブルキャビティーキャビティーとダブルキャビティーイヤホンを備えたレシーバーを搭載しており、スピーカー、エアダクト、サウンドキャビティーの設置方法は１）と同じです。
【００６６】
３) エアダクトのないヘッドフォンは、上記の構造に従ってエアダクトを取り外し、スピーカーをサウンドキャビティに直接取り付け、オーディオワイヤの一端をスピーカーの他端に接続し、マイクのワイヤの他端をプラグの他端に接続するエンドポイントに接続されたマイクを、マイクの位置を調整できるサポートホースまたはワイヤで支える。使用されるワイヤは、透明または不透明の金属シールド絶縁ワイヤです。シールド層は、１つまたは複数のシールドまたは複数のシールドに設定されている。地面。または、周波数応答の異なる２つのスピーカーをサウンドキャビティに設置すると、周波数応答が非常に広くなり、音質が非常に良くなる。
【００６７】
上記のノイズキャンセリングヘッドフォン
【００６８】
１）２つの音響波コンセントレーターの小さい方の端の小さな穴に接続する外部ワイヤー制御イヤホンのオプションの２０-１０００mmの長さのエアダクトの一端を設定し、２つの音響波コンセントレーターの大きい方の端を構成して可動コイルを取り付ける１つのスピーカーと１つのダイナミックアイアンスピーカー、または周波数応答が異なる１つのスピーカーでは、エアダクトのもう一方の端がサウンドキャビティに接続されている。
【００６９】
２）または、２つのスピーカーがそれぞれ音響波コンセントレーターに取り付けられている。各音響波コンセントレーターの小さい方の端は、２番目の段階の音響波コンセントレーターの大きい方の端に送られる。２番目の段階の音響波コンセントレーターの小さい方の端は、エアダクトに接続されている。空気ダクトの一方の端ともう一方の端は、耳で聞くために耳栓の音響空洞に接続されている。
【００７０】
３）または、片耳イヤホンに可動鉄スピーカーと可動コイルスピーカーまたは異なる周波数応答のスピーカーが装備されており、それぞれ音響波コンセントレーターの大きな端に構成され、それぞれの音響波コンセントレーターにはエアダクトが装備されている空気ダクトの一方の端で、もう一方の端は耳栓の耳の空洞に接続されている。
【００７１】
または、平らな断熱ホースで２つの送風ダクトを開いて、２つのスピーカーの音波を耳栓のサウンドキャビティに送信して、耳で聴くか、または１つの耳栓に２つのサウンドチャンバーを設定し、２つの送風ダクトを各サウンドキャビティに接続する２つの音響チャンバーの一方の端ともう一方の端は、耳を傾けて聴く。
【００７２】
スピーカーと音波コンセントレーター、音波コンセントレーターと２次音波コンセントレーター、音波コンセントレーターと空気ダクト、および空気ダクトと耳栓のサウンドキャビティの間の接続はすべて、鉄製の可動式スピーカーを密閉するように設定されている。可動コイルスピーカーの磁界を金属で隔離するか、２つのスピーカーの位置を特定の距離に設定する。  
【００７３】
４) 上記の設定は片耳聴取用スピーカと送風ダクトと耳栓の構造であり、両耳に設定する場合は耳栓の空洞構造を設定する必要がある。ムービングコイル付きのスピーカーは、それぞれ音波集束器とそれぞれの音波集束器の大きな端に構成され、それぞれ空気ダクトと一端で構成され、空気ダクトの他端は、それぞれサウンドキャビティとイヤープラグの内部に接続されている。耳で聞くために、上記の構造の回路と構造に合わせて、スピーカーからプラグまでの構造を選択でき、２ペアに合わせることができる。デュアルイヤーのバイノーラルワイヤーコントロールイヤホンとなるため、音質が良く、ステレオ感の強いサウンドである。 
【００７４】
この項目で説明する構造は、上記のワイヤー制御構造のいずれかに基づいており、スピーカーからサウンドキャビティまでの構造が改善されている。スピーカーのプラグへの配線の構造は、上記のものから選択されるか、プラグが標準に設定される。またはコミュニケーターのケーシングに設定されたソケットに従って、標準プラグは通信機に直結、つまり通信機に直結して使用する。
【００７５】
上記のノイズキャンセリングヘッドフォン
【００７６】
それは、（１）構造が左耳イヤホン１９５、音響キャビティカバー１９５-３、左耳イヤホン１９５-１、右耳イヤホン１９４、および右耳イヤホン１９４を備えたノイズ低減ヘッドマウント安全イヤホンによって特徴付けられる。 １.ヘッドバンド１８５、スイッチおよびスイッチハウジング１９１、ノイズリダクショントランスミッションアーム１９８、ノイズリダクションコンバータ１９６、左ハウジング１９５-１、スピーカーハウジング１９０、プラグ１９３、ノイズリダクションコンバージョンシステムを装備：ノイズリダクションマイク２８０ 、アクティブオーディオ信号がパッシブオーディオ信号送信に変換され、アクティブオーディオ信号送信に復元され、マイクリードがセカンダリオーディオアンプ回路に接続されるように設定され（図３２）、スピーカーを駆動し、回路が電力とステージ数とパフォーマンスを増幅する。選択されたマイクロフォンエアダクトの長さと直径に応じて、スピーカー２０７および２０８のサウンドポートは音響波コンセントレータ２０５および２０６の大きな端に接続され、音響波コンセントレータ２０５および２０６の小さな端はリベットを介してマイクロフォンエアダクト１８９に接続される。１８９−１は一端に接続され、マイクロフォン空気ダクト１８９−１の他端はベルマウスキャビティの小さな端２０３に接続され、ベルマウスキャビティ２０３の大きな端は二次マイクロフォン２０４の受信面に接続される。口からエアダクトを通って２番目のマイクレシーバーまで接続はすべて密閉されている。セカンダリマイクの他端は金属シールド絶縁ライン１９２の一端に接続され、金属シールド絶縁ライン１９２の他端はプラグ１９３の一端に接続され、プラグ１９３の他端は通信機のソケットに接続されている。
【００７７】
変換システムのアクティブ部分には、電子回路基板と、バッテリー供給回路とデバイス用の電源、バッテリーに接続された充電回路と充電ソケット、電源インジケータ発光管、および電源スイッチがあり、上記の変換システムがアクティブです オーディオ信号のコンポーネントはすべてコンバーターハウジングに取り付けられ、変換システムのスピーカーは、メインマイクから一定の距離を置いてマイクの中央に、または左耳ハウジングのサウンドキャビティの外側に取り付けられる（図３２）。回路は、マイクのエアダクトの長さに応じて変更できる。 電力は異なるチップと異なる回路を選択する。
【００７８】
マイクはパッシブ伝送へのアクティブ変換を採用し、その後アクティブ伝送に復帰する。送風管は非常に長く設定でき、マイクはサウンドポートに近接してノイズ低減の効果を達成し、耳と脳の損傷に対する非常に高い保護を実現する。
【００７９】
左耳用エアダクト１８７-１の一端は音響空洞２０９-１の入口に接続され、他端は音波集束器２０５の小端に接続されている。音波集束器２０５の大端はスピーカー２０７に接続され、スピーカー２０７の他端は金属シールド線１９２に接続されている。 右耳用エアダクト１８８-１は、左耳ハウジング１９５-１およびスピーカーハウジング１９０に平行で右耳に接続された左耳用エアダクト１８７-１を介して、金属製ボウ１８６の外側または内側に沿った他端で右耳音響室の入口に接続されている 音波集中器２０６の小端、右耳音波集中器２０６の他端は右耳スピーカー２０８に接続され、右耳スピーカー２０８の他端はスイッチ１９１を介して金属シールド線１９２に接続され、スイッチ１９１を介して他の金属シールド線１９２の一端に接続される。 金属シールド線１９２の他端はプラグ１９３に接続されている。 または、左と右の２つのイヤースピーカー、左と右の耳の音波コンセントレーター、およびセカンダリマイクがスイッチハウジング１９１に設定されている。接続方法は変更されていません。サウンディングキャビティの出口には単一の穴または複数の小さな穴があり、上記のスピーカーの対流穴は次のように設定されている。 取り付けられたハウジングの外側の列、マイク、スピーカーは分離する必要がある。
【００８０】
３つのエアダクトが並列に結合されている（図３３-１）、または三角形が１つに結合されている（図３３-４）、または三角形が１つに結合されて柔軟な材料で包まれている、または３つの空気ダクトが１つのものとして制御されており、材料は不要；
【００８１】
または、スピーカーケースから斜めに引き出された右耳のエアダクトを右耳のサウンドキャビティの入り口に設定する。つまり、金属製の弓を通さないようにする。
【００８２】
または、コミュニケーターからオーディオ信号を送信するスピーカーハウジングのスイッチの前面から引き出されるように上記の３つの空気ダクトを設定するか、すべての空気ダクトがE面から、つまり図２９に示すE面から引き出され、左耳ハウジングに接続される。
【００８３】
組み立てるときは、シェルの各継ぎ目を接着剤でコーティングして、密封して防水する必要がある。
【００８４】
(２) 振動膜２６２を音響波集束器２６３の大端に設置し、振動膜２６２の外面にカバー２６１を追加。カバー２６１に複数の貫通孔を設け、振動膜２６２を大型の音響波集束器２６３に固定する。音波集束器２６３の小端は空気ダクト２６４の一端に接続され、空気ダクトの他端は他のベルマウス２６５の小端に接続され、ベルマウス２６５の大端は小さなマイクロフォン２６６から小さなマイクロフォンに接続される。受け面からカバー２６１の周辺までのすべての接合部はすべて密封されている；
【００８５】
小型マイクのワイヤー２６７はアンプ２６８に接続されており、アンプの出力は実際のニーズに応じて決定され、アンプ２６８の出力端は金属シールド絶縁線２６９に接続され、コネクターを介してコミュニケーターに接続される。
【００８６】
空気ダクト２６４の長さは３０ｍｍから１５００ｍｍに設定され、穴は１ｍｍから５ｍｍであり、穴の長さと直径は特定の要件に従って任意に選択することができる；
【００８７】
この装置は、従来のマイクロホンの代わりにすべての安全イヤホンのマイクロホンをベルマウス２６５に取り付け、マイクロホン２６６を従順な空気ダクトの長さを超える位置に配置することができる。または、カバー２６１、ダイヤフラム２６２、音波コンセントレータ２６５、およびエアダクトで構成されたマイク２６２-A。マイク２６２-Aは、さまざまなサイズのホーンを使用して、さまざまな距離で、または口から遠く離れた場所でマイクを変更できる。空気ダクトの長さは口に接続されており、騒音低減と放射線防護の目的を達成している。
【００８８】
(３) モノサーキットバイノーラルオーバーヘッド型フルエアダクト安全イヤホンを説明する。 
【００８９】
プラグ２９０-１からの信号は、信号がコミュニケーターに接続されている金属シールド絶縁線２８７のオーディオ信号線からラージスピーカー２８４に接続され、ラージスピーカー２８４の他端は音波コンセントレータ２８４-１のラージエンドに接続され、音波集束装置２８４-１の小さい端は、複合空気ダクト２８３の大きい管２８８に接続され、大きい管２８８の他端は、三方２９０の長い端に接続され、ケーブルタイ３００で結ばれ、三方２９０の他端は、シールリング２９５に接続される。シーリングリング２９５の他端は右耳分岐空気ダクト２９４に接続され、右耳分岐空気ダクト２９４の他端はシーリングリング２９２に接続され、シーリングリング２９２の他端はエルボ２９１に接続され、エルボ２９１の他端は音響空洞２９１−１に接続される。エルボーの底面には取り付けプレート２７４-１があり、４つのネジ２９３で右耳シェル２７４に固定されており、エルボーを正確に位置決めするための位置決めピンが付いている。サウンドキャビティ２９１-１の出口には多孔性のカバープレートがある。
【００９０】
小さなパスチューブ３０２は、３ウェイ２９０の上に提供される。小さなパスチューブコンセントレータ３０２-１は、小さなパスチューブ３０２の一端に３ウェイ２９０を接続するために提供され、小さなパスチューブ３０２の他端は、小さなサウンドキャビティ３０１に接続される。音響空洞カバープレート３０１−１があり、音響空洞カバープレート３０１−１には、複数の貫通する小さな穴が設けられている。 
【００９１】
ボウフレーム２７３と右耳分岐エアダクト２７２が設定されたスイング角度で移動できるように、可動溝２７０が設けられた構造であり、シールリング２９５は、スイング軸上に設けられ、ボウフレーム２７３と右は、ゴムなどの柔軟な材料でできている。耳の空気ダクト２７２は柔軟であり、音波の伝達は妨げられない。
【００９２】
スモールパスパイプ３０２の内径は３パス２９０の内径よりもはるかに小さく、特定のサイズは右耳につながる分岐ダクトの減衰値によって計算および決定されるため、両側の耳の音量は同じになる。 
【００９３】
三方２９０の底部には取付板２９７があり、取付板２９７には小穴が開いているので、ネジ２９０-１で左耳ハウジング２７６の底面に取り付け、位置決めピンをセットして３つのリンクを左耳ハウジング２７６に正確に取り付ける下に。大型スピーカ２８４の放音口からの右耳用音響空洞のカバーと左耳用音響空洞のカバーの接合部はすべて密閉されている。音波は漏れず、大型スピーカ２８４からの音は左右の耳に送られる。
【００９４】
音量が小さすぎる場合、またはオーディオアンプ回路が大型スピーカーの前面にある場合、アンプ回路は大型スピーカーシェル２８６-Aに取り付けられ、アンプ回路のアンプ電力のサイズは必要に応じて選択される。
【００９５】
完全なノイズ低減変換システムがセットアップされる。ノイズが低減されたプライマリマイクがスピーカー２７８をアンプ２８２-Aにプッシュし、スピーカー２７８のサウンドアウトレットが音波コンセントレーター２７８-Bの大きな端に接続され、音波コンセントレーター２７８ -Bの小さい方の端は小さいエアダクト２７７-Aに接続されている。小さい方のエアダクト２７７-Aは、ノイズ低減ユニバーサルトランスミッションアーム２７７から左耳ハウジング２７６に通され、ハードコネクタ２７５に接続され、ハードコネクタ２７５の他端が挿入されている。複合空気ダクト２８３の小管２８９の端部には、複合空気ダクト２８３の小管２８９の他端が、絶縁板２８５を介して、小さなホースを介して、小さな音響波集線器２７１の小さな端部まで、湾曲した硬質管２７５-Ａに接続されている。音波集束器２７１の大端は、二次受信機２７５-Ｂの受信面に接続され、二次受信機２７５-Ｂの配線は、スイッチ２８６の制御により、金属遮蔽絶縁線２８７の受信線に接続される。電話システムがオフになっているので、相手はユーザーの音声を聞くことができる。その後、コネクタ２９０を介して通信機を接続し、コンバーターのバッテリーをコンバーターハウジング２７８-Aに取り付ける。コンバーターハウジング２７８-Aには、インジケータライト２８１は、電源がオフにされていることを示し、インジケータライト２８１の透光性本体は、コンバータのハウジング２７８に射出成形される。 ２７８-Aには、電源のオンとオフを制御するスイッチ２７９-Aがあり、スイッチ２７９-Aはゴム製パッドで密閉されている。防水充電ジャック２８２が提供され、バッテリーを充電する。スピーカー２７８とアンプ回路とプライマリマイク２８０の間プラグインアイソレーションボード２７８-Cとスロットボード２７８-Dを装備している。スロットボード２７８-Dは、柔軟な材料で配置されてシールされている。スピーカー２７８の配線は、アイソレーションボード２７８-Cを介して接着剤でシールされており、コンバーターハウジング２７８-Aが使用されるスクリュー２７７-Aは、ユニバーサルアーム２７７に固定されるか、射出成形によってユニバーサルアーム２７７に固定される。コンポジットエアダクトは、１つのチューブに２つの大小のチューブを備えている。外側に１つしかなく、実際には２つのチャネルがあり軽くてきれいである。
【００９６】
大型スピーカー２８４が二次受信機２７５-Ｂと干渉するのを防ぐように、大型スピーカー２８４を二次受信機２７５-Ｂから隔離するために、筐体２８６-Ａに分離板２８５が設けられる。
【００９７】
(４) 請求項２５の第３のポイントによるモノラル回路バイノーラルヘッドマウントオールエアダクト安全ヘッドセットノイズ低減マイクは、アクティブオーディオ信号をパッシブ信号に変換してアクティブオーディオに復元するように構成されている信号デバイスである。
【００９８】
この消音マイクの伝導形態は上記と異なり、その他の構成は上記請求項３の安全イヤホンの構成と同じです。
【００９９】
この項目は、エアダクトマイクに適用され、図３４に示すように、ユニバーサルトランスミッションアーム２７７−１の先端には、筐体２７８−Ｃが取り付けられ、筐体２７８−Ｃには、マイク２６２−１が搭載されている。音響管２６２−１は、カバー２６１、振動板２６２、音響波集束器２６３、および小さな空気ダクト２６４を含む。小さな空気ダクト２６４は、ノイズ低減ユニバーサル伝達アーム２７７−１から左耳ハウジング２７６−１に通じている。 、ハードコネクタ２７５-１に接続され、ハードコネクタ２７５-１の他端は複合空気ダクト２８３-１の小管２８９-１の一端に挿入され、複合空気ダクト２８３-１の小管２８９-１の他端は接続される。湾曲した硬質管２７５−Ｃは、絶縁板２８５−１を通り、小さなホースを通って、小さなマイクロフォン２７５−Ｄの小さなホーン２７１−１の小さな端に達し、小さなホーン２７１−１の大きな端は、小さなマイクロフォン２７５−に接続される。 Dの受信側、小さなマイク２７１-１のワイヤは、スイッチ２８６-１の制御を介して金属シールド絶縁ライン２８７-１の受信ラインに接続され、このスイッチは受信システムをオンまたはオフにできるため、相手は聞くことができる。または、ユーザーの音声が聞こえず、コミュニケーターをコネクター２９０-１を介して接続し、パッシブオーディオ信号を小さなマイクに直接送信して、変換せずにアクティブ信号を生成する。カバー２６１は、多数の小さな貫通穴を備えたハウジング２７８-Cの表面に載っている、または音波集信装置２６３を多数の小さな穴を備えたハウジング２７８-Cに直接取り付け、ダイアフラム２６２をクランプし、上記の接続周辺は密閉されており、回路はシンプルで、コストは低いです；
【０１００】
ハウジング２７８-Cには、大型スピーカー２８４-１を小型マイク２７５-Dから絶縁するための絶縁板２８５-１が備えられている。ワイヤーは絶縁板２８５-１を通過し、接着剤で封止されて、大型スピーカー２８４-１が小型マイク２７５-Dと干渉しないようにする。
【０１０１】
小型マイクの出力信号電力が足りない場合は、小型マイクの出力端に音声増幅回路を設け、小型マイクの出力音声信号を増幅する。このアンプ回路は、大型スピーカーのアンプ回路と電源を共有するか、回路基板にまとめて設置する。ハウジングに電力を供給するバッテリーを取り付けるか、コミュニケーターから電源コードを導いて電力を供給する。
【０１０２】
この構造の利点は、使用する電源が脳や耳から遠く離れていることであり、放射線を防ぐ効果を確実に発揮できること。
【０１０３】
上記のようなノイズ低減モノラルノイズ低減ヘッドフォン
【０１０４】
ノイズリダクションヘッドマウントモノラルノイズリダクションイヤホンは、シェルに取り付けられた弾性のあるボウクリップを備え、ラウンドクリップまたは他の形状のクリップがボウクリップの端に取り付けられていて、変換システムの回路構造と接続方法、および上記の変換システムは同じである； 
【０１０５】
マイクのエアダクトの一端は、コンバーターの音響集音器の小さな端に接続されている。マイクの大端はマイクの受信面に接続され、マイクの他端は金属シールド絶縁ワイヤの一端に接続され、金属シールド絶縁ワイヤの他端はプラグに接続される。
【０１０６】
左耳の送風管の一端は筐体の放音空洞の入口に接続され、他端は音波集束器の小端に接続されている。音波集束器の大端はスピーカーに接続され、スピーカーの他端は金属製のシールド絶縁ワイヤーに接続されている。プラグが一端に接続されており、マイクロホンは、サウンドを分離するために、アイソレーションボードによって左耳のスピーカーと音波コンセントレーターから分離されている。 
【０１０７】
マイクはパッシブ伝送へのアクティブ変換を採用し、その後アクティブ伝送に復帰する。送風管は非常に長く設定できるため、コミュニケーターによる耳と脳の損傷に対する非常に高い保護を実現し、マイクは発音ポートの近くにある。ノイズ低減の効果を得るため。
【０１０８】
上記のノイズキャンセリングヘッドフォン
【０１０９】
ノイズリダクションフックイヤータイプのモノラルノイズリダクションイヤホンは、３インワンのブラケット本体を備え、本体にはイヤーラックフックが設けられ、ノイズリダクショントランスミッションアームが前面に配置され、トランスミッションアームとエンドに変換システムが配置されており、本体には耳栓には音響空洞があり、音響空洞の入口は耳栓の送風管の一端に接続され、送風管の他端は音波コンセントレーターの小さい端に接続されており、スピーカーは音波コンセントレーターの大きい端に設置されている。スピーカーと２次マイク（つまりマイク）は共にスピーカー筐体に設置され、スピーカーから遮音されており、回路接続構造やその他のノイズ低減変換システムは上記ノイズ低減変換システム回路と同じである。
【０１１０】
上記のノイズキャンセリングヘッドフォン
【０１１１】
安全なポータブルイヤホン、ポータブルアームの上端にイヤホンサウンドキャビティ、サウンドキャビティの端面に上部カバー、サウンドキャビティの他端がエアダクトの一端に接続され、エアダクトの他端が音波コンセントレーターの小さい端に接続されており、音波が集中しているデバイスの大端はスピーカーに接続され、スピーカーケーブルとマイクケーブルはスイッチを介して金属シールドされた絶縁ワイヤーに接続され、ワイヤーの他端はプラグに接続される。
【０１１２】
スイッチは、ハンドヘルドノイズキャンセリングイヤホンの中央の側面にある。スイッチのキーは、コネクティングロッドの機械式トランスミッションを介して電気スイッチを操作し、スピーカーとマイクを切断または接続する。または、スイッチボタンを備えた頭頂部のマイクロスイッチの長いアームがマイクロスイッチになるオンまたはオフにして、アクティブ回路が常に脳からの距離を保つようにする。マイクとスピーカーは、本体シェルの下で互いに音を分離する２つのチャンバーに設置される。マイクケーブルは、絶縁ボードを介して接続され、接着される。シーリング、この配置は優れた抗放射線効果を達成でき、本体シェルは分解または取り付けて上下に閉じることができる。また、シェルの各シームは接着剤でコーティングして、組み立て時にシールして防水する必要がある。
【０１１３】
上記のノイズキャンセリングポータブルノイズキャンセリングイヤホンは、プラグを介して通信機に接続するか、固定電話に直接接続することができる。
【０１１４】
ノイズキャンセリングポータブルノイズキャンセリングヘッドフォン
【０１１５】
騒音低減：騒音低減イヤホンの本体シェルの下部には、騒音低減マイク信号変換システムが装備されている。アクティブオーディオ信号はパッシブオーディオ信号伝送に変換され、アクティブ信号伝送に復元される。オーディオアンプ回路がスピーカーを押し、スピーカーのサウンドポートが音波コンセントレーターの大端に接続され、音波コンセントレーターの小端がリベットを介してエアダクトの一端に接続され、マイクエアダクトの他端がトランペットのサウンドキャビティの小端に接続される接続、スピーカーキャビティの大端はセカンダリマイク（マイクなど）の受信面に接続され、スピーカーの発音キャビティからエアダクトを介してセカンダリマイク（マイク）の受信面への接続はシールされていて、セカンダリマイク（つまり、マイク）の他端は金属シールド絶縁ワイヤの一端に接続され、金属シールド絶縁ワイヤの他端はプラグに接続される。
【０１１６】
変換システムのアクティブ部分には、デバイスのバッテリー供給回路と電源、およびバッテリーとインジケーターライトチューブに接続された充電回路と充電ソケットが備わっている。変換システムのスピーカーとプライマリマイクは、互いに音を分離するノイズ低減コンバーターに取り付けられている。ハウジングの２つの空洞では、マイクのリード線がパーティションを一度通過し、接着剤で密閉されている。
【０１１７】
セカンダリマイク（つまり、マイク）とスピーカーがシェルに配置され、スピーカーとスピーカーの発音面の間に遮音板が配置され、音波コンセントレーターの大きい方の端に接続され、音波コンセントレーターの小さい方の端がスピーカーのエアダクトとスピーカーに接続される空気ダクトの他端はサウンドキャビティに接続され、スピーカーのリード線は金属シールド絶縁線に接続され、金属シールド絶縁線の他端はプラグに接続されている。
【０１１８】
ノイズリダクションコンバーターのシェルを分解または分解する方法は、設置のために上下に閉じるように設定されている組み立て中、閉鎖面と他の露出した継ぎ目を接着剤でシールして、水を密封する必要がある。
【０１１９】
上記のノイズキャンセリングポータブルノイズキャンセリングイヤホンは、プラグを介して通信機に接続するか、固定電話に直接接続することができる。
【０１２０】
ノイズ低減航空ヘッドマウントノイズ低減ヘッドフォンは次のように構成されている。革のヘッドバンドは鋼製のヘッドボウで縫合され、ヘッドアーチと調整可能ブラケットはボルトで固定され、調整可能ブラケットと固定ブラケットはセルフロックナットで固定され、固定ブラケットロックカラムは左耳シェルに接続されており、右耳シェルと左耳シェルは対称的に接続および固定されている。
【０１２１】
マイクロホンチューブシェルにはノイズリダクションマイクロホンチューブが取り付けられており、マイクロホンチューブシェルはスパイシーホイール構造とユニバーサルホースに接続され、左右のサウンドチャンバーはイヤシェルに配置されている。ブラケットは、右耳シェルの音響空洞に接続されているか、スピーカーシェルから右耳空洞、右音響空洞に対角線上に接続されているか、または左右の音響空洞のそれぞれに送風ダクトが接続されている。
【０１２２】
ノイズ低減変換システムとその他の構造および接続方法は、ポイント４で説明したバイノーラル型ヘッドマウント型全空気ダクトノイズキャンセリングヘッドフォンに適用される空気伝導マイクと同じである。
【０１２３】
１つの耳または２つの耳は、それぞれ周波数応答が異なる３つのスピーカー、周波数応答が異なる３つの音波チャネル、チャネルに接続されたサウンドキャビティ、およびサウンドチャネルチャネルワイヤーで構成される。いずれも音響波集束器の大端に構成されている。それぞれの音響波集束器はそれぞれ送風管の一端に構成されている。スピーカーに応じて、上記の構造に基づいて、各耳にスピーカー、エアダクト、リスニングキャビティのセットが追加され、構造と接続方法は以前と同じです。
【０１２４】
安全な高音質ヘッドフォンの両耳には、超高音質のノイズリダクションヘッドフォンが２組搭載されている。 
【０１２５】
ノイズキャンセリングヘッドフォンは片耳または両耳に設定され、周波数応答の異なる複数のスピーカーがノイズキャンセリング高品質ノイズキャンセリングヘッドフォンとして構成される。
【０１２６】
上記のノイズキャンセリングヘッドフォン 
【０１２７】
周波数分配回路を備えた高音質ノイズ低減ヘッドフォン
【０１２８】
ハイとローのスピーカーを搭載した最初の回路である。
【０１２９】
上記の請求項に記載された高・低周波スピーカーのノイズリダクションヘッドフォンは、２つのスピーカーのオーディオ信号入力端子経路にそれぞれ送られる分周回路を備え、２.２μFの容量を持つ高周波スピーカー３０５にコンデンサC１が追加されている。
【０１３０】
インダクタンスL１は低音スピーカー３０６のオーディオ信号入力端子のループから直列に接続され、インダクタンスは０.５７mHである。
【０１３１】
高音と低音のクロスオーバーポイントは４５００HZとして選択されている。
【０１３２】
２）ハイスピーカーとロースピーカーを装備した２番目の回路である。 
【０１３３】
コンデンサーC１を１.１μFの容量と１.３１mHのインダクタンスをツイーター３０７の入力端子と並列に接続し、インダクターL２をコンデンサーC２と１.１μFの容量と並列にウーファー３０８の入力に接続する。
【０１３４】
３）３つの高周波数および低低音スピーカーを備えた３ウェイ周波数構成の３番目の回路の場合
【０１３５】
容量１μFのコンデンサC１は一方向ツイーター３０９の入力に接続され、インダクタンスL１は容量１.０２mHと並列に接続され、容量１１.０６μFのコンデンサC２は中間スピーカー３１０の入力の前に配置される１.０２mHの容量でインダクタを背面に接続する。１１.３２mHの容量のインダクタL２を１１.０６μFの静電容量C２と１.０２mHのインダクタL３の間にあるスピーカーの他端に接続する。スピーカーの両端に並列にコンデンサC３を接続し、スリーウェイウーファー３１１の入力端は、１１.３２mHの容量を持つインダクタL４と１１.０６μFの容量を持つコンデンサC４と並列に接続されている。
【０１３６】
クロスオーバー周波数低音は４５０HZ、高周波数は５０００HZである。
【０１３７】
上記の静電容量とインダクタンスの値は理論的に計算されており、各スピーカーの端子のエアダクトからサウンドキャビティへの周波数応答曲線を接続ポイントでテストし、コンデンサの容量または調整を周波数応答のテスト結果に応じて適切に調整する必要があるインダクターの容量は、周波数分割に達した後の周波数応答まで、正しい良好な結果に達する。
【０１３８】
このようにして、各スピーカーは異なる周波数のサウンドを再生でき、入力オーディオ信号は各スピーカーから完全に送信され、良好な周波数応答を実現できる。スピーカーと歪みの間に位相エラーはありません。図中の「+-」は相接続を示す。
【０１３９】
エアダクトのすべての端と音波コンセントレータまたはサウンドキャビティは、中空のリベットまたは接着剤または他の方法で密閉および固定される。これには、エアダクトがまっすぐであるか、スパイラル形状の一部または全体のスパイラル形状に巻かれているか、または中央セクションがスパイラル端である真っ直ぐ、または送風管を曲がり、曲がりの形状を耳に当てることができ、曲がりの端には、空洞のある耳栓が付いている。
【０１４０】
ワイヤーパーツをまっすぐにするか、すべてらせん状にするか、１つのセクションをらせん状に巻くか、１つのセクションをまっすぐにするか、または１つのセクションをらせん状に巻くか、両端をまっすぐにするか、耳にエルボーブラケットを使用し、イヤープラグを使用して挿入耳を傾けてください。
【０１４１】
発音の音の空洞の側面または背面に応じて、適切な位置を選択して、空気対流用の微小穴を開く。微小穴のサイズは、発音のサイズに関連している。
【０１４２】
上記のノイズキャンセリングヘッドフォン
【０１４３】
耳栓ヘッドと送風ダクトとの接続箇所には送風ダクト可動コネクタが設けられており、その構造は以下の通りです：
【０１４４】
(１) 接続ヘッドの左右に２つの逆ボタンがあり、内径の一端は接続スリーブの中空コアリベットでリベット留めされた金属スリーブの送風ダクトで覆われ、送風ダクトのもう一方の端にも接続ヘッドが配置されている。スピーカーシェルの音波コンセントレーターに移動可能に接続でき、送風ダクトの両端の可動コネクターは対称的で、両端を交換できる； 
【０１４５】
このようにして、耳栓ヘッド構造の接続チューブは、大、中、小の１つ、または１つのインイヤータイプ、１つの吊り下げタイプ、または異なるスタイルの耳栓ヘッドなど、いくつかのスタイルの耳栓ヘッドにすることができる。色は交換可能で、ユーザーは好みに応じてさまざまな色のエアダクトに合わせることができる。ダブルチューブにもイヤープラグチューブに２つの穴があり、２つの可動ヘッドを持つ２つのエアダクトがある場合は、スピーカーシェルも適している。接続応答用の接続穴を装備する。
【０１４６】
(２) ねじ込みエアダクト可動ヘッドAA、一端をおねじに設定、内孔の内径をエアダクトの内径、可動ヘッドAAの内端をエアダクトの外径に設定、接着剤でこの孔にエアダクトを挿入しっかりと接着、可動ヘッドAAの外径は耳栓ヘッドと送風ダクトの外径と同じで、可動ヘッドAAの外ネジと組み合わせて使用すると、耳栓ヘッドの接続部の内穴加工ねじ穴を緩めて入れ替えることができる。ヘッドの種類が増え、エアダクトの種類も増えました。エアダクトの他端は別の可動ヘッドBBに繋がっている。可動ヘッドBBの構造は可動ヘッドAAと同じである。可動ヘッドの内径には空気が入っているダクトは接着剤で固定されており、ネジ山はスピーカーシェルのネジ穴と一致しており、交換可能である。可動ヘッドAAと耳栓ヘッドチューブまたは別の装飾リングとの接続、可動ヘッドBBとスピーカーまたは装飾リング、可動ヘッドとの接続AAのスレッドと可動ヘッドBBは同じで、耳栓ヘッドのネジ穴とスピーカーのネジ穴と交換できる。
【０１４７】
２つの空気ダクトに適用されるイヤホンがスピーカーシェルにある場合、それに応じていくつかのネジ穴が提供され、さまざまな可動ヘッドまたは空気ダクトを交換および交換するために、イヤープラグヘッドにもいくつかのネジ穴が提供される。選択性とマルチパターンを改善するために、ユーザーが交換できるさまざまな構造と色のイヤープラグヘッドまたはエアダクトをいくつか装備できる。
【０１４８】
上記のノイズキャンセリングヘッドフォン
【０１４９】
本発明の有利な効果は以下の通りである：エアダクトマイクロフォンは、音声信号を音波信号に変換する音波コンセントレータおよびエアダクトを備え、パッシブ送信信号は、エアダクトを介して伝播され、その後、マイクロフォンおよび他のデバイスを介して電気信号に変換され、マイクロフォンの音が受信される。先端を利用者の口にセットし、マイクなどの機器を利用者から遠ざけることができ、ノイズ低減や放射線防護の役割を果たす。
【図面の簡単な説明】
【０１５０】
本発明の実施形態または従来技術の技術的解決策をより明確に説明するために、以下では、実施形態または従来技術の説明に必要な図面を簡単に紹介する。以下の説明の図面は、これらは本発明のいくつかの実施形態であり、当業者にとって、創造的な労力を払うことなく、これらの図面に基づいて他の図面を取得することは、依然として本発明の範囲に属する。  
【０１５１】
【図１】図１は本発明の右側の概略図であり、２つのスピーカーが垂直に配置され、集中された音波集中ポートを有する；
【０１５２】
【図２】図２は、本発明の２つのスピーカーが垂直に配置された安全ヘッドセットと、集中音波集中ポートの概略正面図である；
【０１５３】
【図３】図３は、対称的な音波集中ポートおよび安全なイヤホンを備えた、正方形または斜めに配置された、本発明のスピーカーの右側面図の概略図である；
【０１５４】
【図４】図４は、本発明のスピーカであり、正方形または斜めに配置され、対称的な音波集中ポートおよび安全なイヤホンを備えたサウンドヘッドホンである。
【０１５５】
メインビューの概略図；  
【０１５６】
【図５】図５は、本発明の１つのスピーカ、１つの音波チャネル、および対称音波集束ポートを有する密封された小さな箱の概略図である；
【０１５７】
【図６】図６は本発明の矩形音波集束口のＡ-Ａ断面図である；
【０１５８】
【図７】図７は本発明の音波集中ポートの楕円形のＡ-Ａ断面図である；
【０１５９】
【図８】図８は是本発明の音波集中ポートのＡ-Ａ断面図である；
【０１６０】
【図９】図９は本発明のマイクロホン設備の概略図である；
【０１６１】
【図１０】図１０は本発明のマイクロホン設備の略図である；
【０１６２】
【図１１】図１１は、本発明のマイクロホン設備の概略断面図である；
【０１６３】
【図１２】図１２は、リベット締結方法の概略図である；
【０１６４】
【図１３】図１３はジャケットの締結方法の模式図である；
【０１６５】
【図１４】図１４は本発明の１つのイヤプラグ、１つのマイクロスピーカ、および１つのマイクロホンがすべて１つのハウジング内にあり、スイッチがハウジング内にある安全なイヤホンの概略正面図である；
【０１６６】
【図１５】図１５は、イヤープラグ、ケーシング内のミニチュアスピーカー、マイクロフォンとスイッチが小さいケーシングにあり、小さいケーシングのコンセントの他端が金属シールド絶縁ラインに接続されている場合の発明を示している。安全なヘッドセットの正面図である。
【０１６７】
【図１６】図１６は、２つのケーシングに２つのイヤプラグと２つのミニチュアスピーカーがあり、マイクロフォンとスイッチが小さなケーシングに配置され、小さなケーシングの他端が金属シールドから分離されている場合の本発明を示している。オフラインで接続された安全なヘッドセットの正面図；
【０１６８】
【図１７】図１７はイヤプラグ、前部音響空洞の１つにあるマイクロスピーカ、マイクロフォン、および小さなハウジング内のスイッチを備えた安全なイヤホンの本発明の正面図である；
【０１６９】
【図１８】図１８は２つのイヤプラグ、２つの前部音響室に２つのマイクロスピーカ、小さなハウジングにマイクロフォンおよびスイッチを有する本発明の安全なイヤホンの概略正面図である：
【０１７０】
【図１９】図１９はエアダクトを備えたヘッドマウント型バイノーラルワイヤ制御イヤホンの概略図である；
【０１７１】
【図２０】図２０は、図１９に基づいてスピーカー１０５およびスピーカー１１１を追加し、対応する空気ダクトおよび音室を追加する概略図である；
【０１７２】
【図２１】図２１は、デュアルトーンキャビティイヤピースの空気ダクトと音波コンセントレータとの間の密封された接続の概略断面図である；
【０１７３】
【図２２】図２２はデュアルトーンイヤピースの概略断面図である；
【０１７４】
【図２３】図２３は放射を防止するために金属遮蔽分離線を使用する頭部装着型放射防止イヤホンの概略側面図である；
【０１７５】
【図２４】図２４放射線保護のために金属シールドされた絶縁線を採用する頭部装着型放射線防止イヤホンの概略図である；
【０１７６】
【図２５】図２５は、異なる周波数応答を有する２つのスピーカを使用して、空気ダクトを通って耳まで音空洞に分配されるワイヤ制御イヤホンの概略図である。
【０１７７】
【図２６】図２６は２つの異なる周波数応答スピーカーを使用して、耳を聞くために空気ダクトから音響空洞まで通過するワイヤー制御イヤホンの概略図である；
【０１７８】
【図２７】図２７は、片方の耳が聞くために２つの空気ダクトから２つの音室への２つの異なる周波数応答スピーカーを使用するワイヤー制御イヤホンの概略図である；
【０１７９】
【図２７−１】図２７-１は、ハウジングから通じている二重管空気ダクトの構造図である；
【０１８０】
【図２７−２】図２７-２は、２つの管が一体化された麺型の空気ダクトの概略図である；
【０１８１】
【図２８】図２８は２つの異なる周波数応答を有する２組のスピーカー、２つの空気ダクト、および２つの耳用の音響室を備えたバイノーラルワイヤ制御イヤホンの概略図である。
【図２８−１】図２８は２つの異なる周波数応答を有する２組のスピーカー、２つの空気ダクト、および２つの耳用の音響室を備えたバイノーラルワイヤ制御イヤホンの概略図である。
【０１８２】
【図２９】図２９は、ノイズ低減ヘッドマウント安全イヤホンの概略側面構造図である；
【０１８３】
【図３０】図３０は、ノイズ低減ヘッド搭載安全ヘッドセットの正面図の概略図である；
【０１８４】
【図３１】図３１は、ノイズ低減ヘッドマウント安全イヤホンの構造の概略上面図である；
【０１８５】
【図３２】図３２は、一次マイクの音声電気信号を増幅して音声に変換する音声変換器の電気回路図であり、充電と電源の主要回路を備えている。回路は、マイクのエアダクトの長さに応じて、異なるチップと異なる回路を選択できる。
【０１８６】
【図３２−１】図３２-１は、比較的大きな増幅電力を有するオーディオ信号を示す拡大図である；
【０１８７】
【図３３】図３３は、スピーカー、マイクロホン空気ダクトおよび主マイクロホンの間の、ノイズ低減ヘッドフォン安全イヤホン左および右耳音波チャネルの構造の概略図である；
【０１８８】
【図３３−１】図３３-１は、３つの空気ダクトの配置の概略図である；
【０１８９】
【図３３−２】図３３-２は、スピーカーの音響チャネルと音響空洞との間の接続の概略図である；
【０１９０】
【図３３−３】図３３-３は、別の発音空洞の概略図である；
【０１９１】
【図３３−４】図３３-４は、３つの空気ダクトの三角形の配置の概略図である；
【０１９２】
【図３４】図３４はエアダクトマイクの構成を示す略線図である；
【０１９３】
【図３５】図３５は空気ダクトマイクロホンのカバーの図である；
【０１９４】
【図３６】図３６は鋼アーチと右耳分岐エアダクトパッケージの断面構造図である；
【０１９５】
【図３７】図３７は可動三角形溝内の弓フレームを見るのに展開される弓フレームの概略図である；
【０１９６】
【図３８】図３８は図３０Ｈ１−Ｈ１の断面構造図であり、右耳エアダクトと肘の間の接続の概略図を示している；
【０１９７】
【図３９】図３９は切断されていない状態と見なされた図３８のＪ-Ｊ断面図であり、右分岐空気ダクトおよびシールリングエルボの接続および設置の概略図を示す；
【０１９８】
【図４０】図４０は複合空気ダクトの断面図である；
【０１９９】
【図４１】図４１は左耳ティーの接続図、コンバーターの構造、２つの接続図、大型スピーカーの入力とセカンダリレシーバーの出力です；
【０２００】
【図４２】図４２はモノヘッドセットにおける空気ダクトマイクロホンの設置および接続の略図である；
【０２０１】
【図４３】図４３は、左耳シェルへの三方２９０の設置、複合管の接続および右耳分岐管の接続の概略図である；
【０２０２】
【図４４】図４４は三方２９０と左耳音響空洞のチャネルとの接続の略図である；
【０２０３】
【図４５】図４５はコンバータ出力スピーカとコンバータの設置図である；
【０２０４】
【図４６】図４６は図４５のＡ２−Ａ２の概略断面図である；
【０２０５】
【図４７】図４７は、ノイズ低減ヘッドマウントモノイヤーセーフイヤホンの構造の概略側面図である；
【０２０６】
【図４８】図４８はノイズを低減する頭部装着型モノイヤーセーフイヤホンの正面図の概略図である；
【０２０７】
【図４９】図４９は、アンチノイズフックイヤーモノイヤーセーフイヤホンの構造の概略図である；
【０２０８】
【図５０】図５０はポータブル安全イヤホンの全断面構造の概略図である；
【０２０９】
【図５１】図５１は携帯用安全イヤホンとキースイッチのロングスイッチの外観の模式図である；
【０２１０】
【図５２】図５２は携帯用安全イヤホンの形状およびスイッチ構造の概略図である；
【０２１１】
【図５３】図５３はマイクロフォン信号の能動的受動変換を備えた携帯用安全イヤホンの構造および経路を示す略図である；
【０２１２】
【図５３−１】図５３-１は、スイッチボタンから離れたマイクロスイッチのスイッチ構造の概略図である；
【０２１３】
【図５４】図５４は騒音低減航空ヘッドセット安全ヘッドセットの側面の概略構造図である；
【０２１４】
【図５５】図５５は騒音低減航空ヘッドセット安全ヘッドセットの正面構造の概略図である；
【０２１５】
【図５６】図５６は高周波数および低周波数分割を有する２つのスピーカーの概略回路図である；
【０２１６】
【図５７】図５７は別の方法における２つのスピーカーの２つのスピーカーのクロスオーバーの回路概略図である；
【０２１７】
【図５８】図５８は３つのスピーカの周波数分割の回路概略図である；
【０２１８】
【図５９】図５９は、送風ダクトまたはワイヤを屈曲させて耳に掛けた構造の概略正面図である；
【０２１９】
【図６０】図６０は耳栓の概略側面図であり、エアダクトまたはワイヤーで耳を曲げている；
【０２２０】
【図６１】図６１は、中空コアリベットによって接続された空気ダクトおよび音波コンセントレータの略図である；
【０２２１】
【図６２】図６２はリバースボタンによって移動可能に接続された空気ダクトの概略図である；
【０２２２】
【図６３】図６３は、逆転ボタンのＭ方向図である；
【０２２３】
【図６４】図６４は可動ヘッドに接続された耳栓ヘッドの構造の略図である；
【０２２４】
【図６５】図６５はねじ付き可動ヘッド接続ヘッド構造と送風ダクトの接続図である；
【０２２５】
【図６６】図６６は、ねじ付き可動接続の２つの端部の構造図である；
【０２２６】
【図６７】図６７は、組立後のネジ付き可動コネクタおよび耳栓ヘッドチューブの外観の概略図である。   （詳細な実装）
【０２２７】
本発明の目的、技術的解決法、および利点をより明確にするために、本発明は、添付の図面を参照して以下でさらに詳細に説明される。  
【０２２８】
「上」、「下」、「前」、「後」、「左」、「右」、「内」、「外」、「上」、「下」など、本発明で言及される方向および位置の用語「、」、「側面」などは、図面の方向または位置のみを参照している。したがって、方向および位置の用語は、本発明の保護範囲を限定するためではなく、本発明を説明および理解するために使用される。  
【０２２９】
実施例１  
【０２３０】
ノイズリダクションイヤホン,  
【０２３１】
耳栓ヘッド１を含み、音キャビティ本体２が耳栓ヘッド１の内側に形成され、音キャビティ本体２の第１の端部は音出口を有する；  
【０２３２】
本体４には、本体４の内部に音響波集束キャビティ１０が設けられており、音響波集束キャビティ１０にはチャネルポートが開口しており、チャネルポートと音響キャビティ本体２の他端とが音響波伝送路３を貫通している；  
【０２３３】
マイクロスピーカ５、音波集中キャビティ１０は、マイクロスピーカ５と音波伝送チャネル３との間に設けられる；  
【０２３４】
マイクロスピーカ５は、本体４の外側に位置するワイヤ８の第１の端部に接続され、ワイヤ８の第２の端部は、プラグ９に接続される；  
【０２３５】
アクティブオーディオ信号をパッシブ伝送信号に変換してからアクティブ信号伝送に戻るように設定されたノイズ低減変換伝送システムのマイクまたはエアダクトマイクロフォン、つまりリモートノイズ低減マイク。  
【０２３６】
実施例２  
【０２３７】
上記のノイズキャンセリングヘッドフォン  
【０２３８】
本体には音波集束装置が設けられており、その両端はマイクロスピーカー５の放音端の周囲と音波チャンネルポートの一端に気密に接続されており、マイクロスピーカー５の音波は音波集束キャビティ１０を通過し、音波伝送路３の他端は、音空洞本体２に接続されており、音空洞本体には音出口が設けられ、音出口本体２には音出口にソフトスリーブが設けられている。  
【０２３９】
実施例３  
【０２４０】
上記のノイズキャンセリングヘッドフォン 
【０２４１】
本体４の内部にはマイク６が設置されており、本体４にはマイク６に対応する受け穴が設けられている；  
【０２４２】
また、本体４には、スイッチ１２が設けられており、マイクロスピーカ５およびマイク６は、いずれもスイッチ１２に接続された後、リード線８に接続される。  
【０２４３】
実施例４  
【０２４４】
上記のノイズキャンセリングヘッドフォン  
【０２４５】
音波伝達チャンネル３は、絶縁材料で作られた管であり、音波伝達チャンネル３は、内径３ｍｍ、長さ３００ｍｍである；  
【０２４６】
音響空洞の容積は１５００ｍｍ3です。   
【０２４７】
サウンドアウトレットが穴であり、サウンドアウトレットの直径がФ２mmである、またはサウンドアウトレットに複数の穴があり、各穴の直径がФ２mmである。
【０２４８】
実施例５  
【０２４９】
上記のノイズキャンセリングヘッドフォン  
【０２５０】
音響波伝送路３の長さは５００ｍｍである。  
【０２５１】
実施例６  
【０２５２】
上記のノイズキャンセリングヘッドフォン  
【０２５３】
音響波集束キャビティ１０の周りの２対の斜辺において、各対の斜辺は逆のトランペット形状を形成し、斜辺の協働により形成される角度は６０°である。  
【０２５４】
実施例７  
【０２５５】
上記のノイズキャンセリングヘッドフォン  
【０２５６】
音波集束空洞１０の周りの２対の曲線の少なくとも一方は対称的である。  
【０２５７】
実施例８  
【０２５８】
上記のノイズキャンセリングヘッドフォン  
【０２５９】
音波集束空洞１０の周りの弧はすべて非対称である。  
【０２６０】
実施例９  
【０２６１】
上記のノイズキャンセリングヘッドフォン  
【０２６２】
逆ベルマウスの形状とは、音波集中空洞１０の周囲が円弧状の逆ベルマウス形状であることをいう。  
【０２６３】
実施例１０  
【０２６４】
上記のノイズキャンセリングヘッドフォン  
【０２６５】
音波集束キャビティ１０の周囲は、弧状または湾曲した逆ベルマウス形状と、斜め逆ベルマウス形状とからなる。  
【０２６６】
実施例１１  
【０２６７】
上記のノイズキャンセリングヘッドフォン  
【０２６８】
音波集束空洞１０の椎体の断面は楕円形である。  
【０２６９】
実施例１２  
【０２７０】
上記のノイズキャンセリングヘッドフォン 
【０２７１】
音波集束キャビティ１０の水平断面と椎体の底面は、隣接する各２つの側で弧遷移多角形を採用する。  
【０２７２】
実施例１３  
【０２７３】
上記のノイズキャンセリングヘッドフォン 
【０２７４】
マイク６は本体４の丸穴に設置し、マイクの受音面を外側に封じ、周囲を封止することで、本体４の受音穴を通過し、マイクを通過する表面の受音孔は、マイク６に順次伝達される。  
【０２７５】
実施例１４  
【０２７６】
上記のノイズキャンセリングヘッドフォン  
【０２７７】
音波伝達チャンネル３の一端は耳栓頭部の入力端に設置され、他端は音波集中空洞の小さな端に設置される。音波伝達チャンネルの両端は、耳栓ヘッドの入力端と音波コンセントレーターの小端にそれぞれ固定され、音波コンセントレーターの大端にはミニチュアスピーカーが取り付けられ、３つの間の接続は密閉されている。  
【０２７８】
実施例１５  
【０２７９】
上記のノイズキャンセリングヘッドフォン  
【０２８０】
音波伝達チャンネル３の一端は、耳栓ヘッドの入力端にスリーブされ、他端は、音波集束器の出力端にスリーブされる。音波伝達チャンネル３の両端の外径は、ソリッドコート１７-２にスリーブされる。  
【０２８１】
実施例１６  
【０２８２】
上記のノイズキャンセリングヘッドフォン  
【０２８３】
ワイヤ８は、金属シールド絶縁ワイヤを採用して、ワイヤを接地にシールドする。  
【０２８４】
実施例１７  
【０２８５】
上記のノイズキャンセリングヘッドフォン  
【０２８６】
１つのマイクロスピーカー５、１つの音響波集束キャビティ１０および１つのチャネルポートがあり、マイクロスピーカー５が発する音は、チャネルポートに接続された音響波伝送チャネル３に送られる耳栓ヘッド１のなかにする。  
【０２８７】
実施例１８  
【０２８８】
上記のノイズキャンセリングヘッドフォン 
【０２８９】
マイクロスピーカ５の数は２つであり、音響波集束キャビティ１０の数は２つである。チャンネル開口部は、１つのチャンネル開口部が１つの音波伝達チャンネルに対応し、１つの耳栓ヘッドに対応する。  
【０２９０】
実施例１９  
【０２９１】
上記のノイズキャンセリングヘッドフォン  
【０２９２】
弾性波集束キャビティ１０は、小型で大型の構造を有している。  
【０２９３】
実施例２０  
【０２９４】
上記のノイズキャンセリングヘッドフォン  
【０２９５】
マイクロスピーカー５は円形である。  
【０２９６】
実施例２１  
【０２９７】
上記のノイズキャンセリングヘッドフォン 
【０２９８】
マイクロスピーカ５は、本体４内に縦置きされている。  
【０２９９】
実施例２２  
【０３００】
上記のノイズキャンセリングヘッドフォン 
【０３０１】
本体はなく、音波集音器とマイクロスピーカーをシェルにセットし、マイクとスイッチとボリュームコントロールを取り付けるための小さなシェルが用意されている。  
【０３０２】
実施例２３  
【０３０３】
上記のノイズキャンセリングヘッドフォン  
【０３０４】
放射線を防ぐための使い捨て金属シールド絶縁ワイヤーである。  
【０３０５】
実施例２４  
【０３０６】
上記のノイズキャンセリングヘッドフォン  
【０３０７】
この実施例では、エアダクト付きのヘッドマウント型ノイズリダクションヘッドセットが使用されている。両耳に取り付けられたサウンドキャビティは、長さ６００ mmのエアダクト８６および９２に接続されている。オーディオワイヤは、透明な金属製シールドシールドで接地されている。もう一方の端はスピーカー８８に接続され、マイク９６のオーディオワイヤもプラグ９８に接続される。もう一方の端はマイク９６を拾う。マイク９６とスピーカー８８および９４は５０ mmの距離に保たれ、いくつかのマイクがハウジングに取り付けられている実施の形態１から実施の形態４の構成によれば、アイソレーションが行われるため、数台のスピーカを一緒に設置する構成が比較的簡単で、体積も小さくなる。  
【０３０８】
実施例２５  
【０３０９】
上記のノイズキャンセリングヘッドフォン  
【０３１０】
２つのスピーカーキャビティが取り付けられたスピーカーハウジング８９、９５を設定し、それぞれスピーカー８８、９４を取り付ける。各スピーカーサウンドポートには、音波コンセントレーター８７、９３の大きな端が付いている。音波コンセントレーター８７、９３は、逆スピーカーです。小さい方の端は送風ダクト８６と９２に接続されている。送風ダクトのもう一方の端は音チャンバー８５と９１に密閉されている。口と一致する音響波コンセントレーターおよび空気ダクトの間の接続は密封されており、その他の設定は実施例２４と同じです。  
【０３１１】
実施例２６  
【０３１２】
上記のノイズキャンセリングヘッドフォン 
【０３１３】
この実施例では、片方の耳が２つのスピーカーの音を聞くために使用される。つまり、１つのスピーカー１０６、１１２が実施例２４のヘッドセットの２つのスピーカー取り付けシェルに取り付けられ、追加のスピーカー１０６、１１２が元のスピーカー１０２と１１３の周波数応答は異なる。つまり、２つのスピーカーハウジングに２つの高周波数スピーカーと低周波数スピーカーが設置され、２つのイヤホン９９と１０７の並列位置に音波チャネルが追加される。それぞれに、デュアルサウンドチャンバー１１７、１１８を備えたイヤホン１０７とデュアルサウンドチャンバー１１７-１、１１８-１を備えたイヤホン９９、および設置されたスピーカー、エアダクト、サウンドチャンバーの接続方法、および実施実施例２４が提供されるのと同じです。  
【０３１４】
実施例２７  
【０３１５】
上記のノイズキャンセリングヘッドフォン  
【０３１６】
この実施例では、送風ダクトのないヘッドセットを使用しており、実施実施例２４、２５の構成で送風ダクトを取り除き、スピーカ１２０、１２０−１を直接音室１１９、１１９−１に設置している。 １２３は他端でスピーカー１２０、１２０-１に接続され、プラグ１２４は他端に接続され、マイク１２１のワイヤも他端でプラグ１２４に接続され、他端はマイク位置が調整可能なサポートホース１２２によってエンドポイントのマイク１２１に接続される。ワイヤは、透明または不透明の金属シールド絶縁ワイヤでできており、シールド層は、個別または複数の個別にシールドされたシールドまたは複数の組み合わせシールドグランドをシールドするように設定されている。または、周波数応答の異なる２つのスピーカーをサウンドキャビティに設置すると、周波数応答が非常に広くなり、音質が非常に良くなる。  
【０３１７】
実施例２８  
【０３１８】
上記のノイズキャンセリングヘッドフォン  
【０３１９】
外部有線式イヤホンの全長５００mmのエアダクト１２７の任意部分の一端は、２つの音波コンセントレータ１２９、１３２の集音端の小穴１２８に接続され、２つの音波コンセントレータ１２９、１３２の大型が配置されている。ムービングコイルスピーカー１３０とムービングアイアンスピーカー１３３がそれぞれ一端に設置され、送風ダクト１２７の他端はサウンドキャビティ１２５に連結される。  
【０３２０】
スピーカーと音波コンセントレーター、音波コンセントレーターと第２レベルの音波コンセントレーターの間の接続、音波コンセントレーターと送風ダクトの間の接続、および送風ダクトと耳栓のサウンドキャビティの間の接続は、すべて密封されるように設定されている。コイルスピーカーの磁界は金属で隔離されている。  
【０３２１】
実施例２９  
【０３２２】
上記のノイズキャンセリングヘッドフォン  
【０３２３】
２つのスピーカー１４３、１４４を音響波コンセントレーターに取り付け、それぞれの音響波コンセントレーター１４２、１４０の小さい方の端を使用して、第２ステージの音響波コンセントレーター１３９の大きい方の端に送信する。送風ダクト１３８の一端に接続され、送風ダクト１３８の他端は聴取用の耳栓１３７の音空洞１３６に接続され、その他の配置構成は実施実施例２８と同様である。  
【０３２４】
実施例３０  
【０３２５】
上記のノイズキャンセリングヘッドフォン  
【０３２６】
この実施例では、片耳イヤホンには、可動鉄スピーカー１５６と可動コイルスピーカー１５３が備えられている。これらは、それぞれ音波コンセントレーター１５５、１５２の大端に構成されている。それぞれの音波コンセントレーター１５５、１５２には、それぞれエアダクトが装備されている。 １５１、１５０の一端は、空気ダクト１５１、１５０の他端が並列にそれぞれの音室１４７、１４８内の耳栓１４９に接続されて耳が聞こえ、その他の設置構造は実施実施例２８と同じである。  
【０３２７】
実施例３１  
【０３２８】
上記のノイズキャンセリングヘッドフォン 
【０３２９】
２本の送風管１５１−１、１５０−１を扁平な絶縁ホース１５１−３に開口し、２本のスピーカー１５３の音波を耳栓１４９の音響空洞に伝わって聴取し、その他の設置構造は実施実施例２８と同じである。  
【０３３０】
実施例３２  
【０３３１】
上記のノイズキャンセリングヘッドフォン  
【０３３２】
２つの音室１４７、１４８が１つの耳栓１４９に設置され、２つの空気ダクト１５１、１５０がそれぞれ１つの音室１４７、１４８の一端に接続され、２つの音室１４７、１４８の他端は耳に聞こえ、残りの設置構造実施例２８と同じ。  
【０３３３】
実施例３３  
【０３３４】
上記のノイズキャンセリングヘッドフォン  
【０３３５】
この実施例では、両耳用のイヤホンを使用している。両耳にイヤホンを設置する場合は、耳栓の音の空洞の構造を設定する必要がある。２セット、つまり２本のイヤホンに可動鉄スピーカー１６６、１７６と可動コイルスピーカーを取り付ける。 １６９、１７８、それぞれが音響波コンセントレータ１６５、１７５、１６８、１７７の大端と、それぞれの音響波コンセントレータ１６５、１７５、１６８、１７７、および各空気ダクト１６３、１６４、１７３、１７４の一端に構成されている空気ダクト１６３、１６４および１７３、１７４の他端は、（図２８に示すように）耳で聞くために、それぞれ音室１６０、１６１および１７０、１７１に耳栓１６２、１７２に接続され、プラグに対するスピーカーの構造は、上記の実施形態による。 ２ペアの適切な回路と構造を選択して、デュアルオーディオのバイノーラルワイヤ制御ヘッドセットを作成できる。これにより、音質が良いだけでなく、ステレオも非常に強くなる。  
【０３３６】
実施例３４ 
【０３３７】
上記のノイズキャンセリングヘッドフォン  
【０３３８】
この実施例では、左耳のイヤホン１９５、左耳のケース１９５-１、右耳のイヤホン１９４、右耳のケース１９４-１、ヘッドバンド１８５、スイッチ、およびスイッチケースで構成された、ノイズを低減するヘッドマウント型のノイズ低減ヘッドホンを使用している。 １９１.ノイズ低減伝送アーム１９８、ノイズ低減コンバータ１９６、ハウジング１９５-１、スピーカーハウジング１９０、プラグ１９３;ノイズ低減変換システムが提供される：ノイズ低減プライマリマイク、アクティブオーディオ信号がパッシブオーディオ信号に変換される。送信では、プライマリマイクリードがセカンダリオーディオアンプ回路に接続され（図３２）、スピーカーを駆動する。回路の増幅パワーとステージ数とパフォーマンスは、選択されたマイクエアダクトの長さと直径に応じて選択される。スピーカー２０７と２０８の発音音波コンセントレータ２０５、２０６の大端は口に接続され、音波コンセントレータ２０５、２０６の小端はリベットでマイク送風ダクト１８９-１の一端に接続され、マイク送風ダクト１８９-１およびトランペットサウンドキャビティの他端は接続されている。アンプ２０３の小さい方の端が接続され、ホーン口の空洞２０３の大きい方の端が２次マイク（つまりマイク）２０４の受信面に接続され、スピーカーのサウンドポートから２次マイク（つまりマイク）に送風ダクトを介して接続される。受信側の接続はシールされている。２二次マイクロフォン（つまり、マイクロフォン）の他端は金属シールド絶縁ライン１９３の一端に接続され、金属シールド絶縁ライン１９２の他端はプラグ１９３の一端に接続され、プラグ１９３の他端は通信機のソケットに接続される。  
【０３３９】
変換システムのアクティブな部分には、電子回路基板と、バッテリー供給回路とデバイス用の電源、バッテリーに接続された充電回路と充電ソケット、電源インジケータ発光管、電源スイッチがあり、上記の変換システムがアクティブです。オーディオ信号のコンポーネントはすべてコンバーターハウジングに取り付けられ、変換システムのスピーカーは、メインマイクから一定の距離を置いてマイクの中央に、または左耳ハウジングのサウンドキャビティの外側に取り付けられる（図３２）。  
【０３４０】
マイクはパッシブ伝送へのアクティブ変換を採用し、その後アクティブ伝送に復元する。送風管は非常に長く設定でき、マイクはサウンドポートの近くにあり、ノイズ低減の効果を達成すると同時に、耳と脳の損傷に対する非常に高い保護を実現する。
【０３４１】
左耳用エアダクト１８７-１の一端は音響空洞２０９-１の入口に接続され、他端は音波集束器２０５の小端に接続され、音波集束器２０５の大端はスピーカー２０７に接続され、スピーカー２０７の他端は金属シールド線１９３に接続されている。右耳用エアダクト１８８-１は、左耳ハウジング１９５-１およびスピーカーハウジング１９０に平行で右耳に接続された左耳用エアダクト１８７-１を介して、金属製ボウ１８６の外側または内側に沿った他端で右耳音響室の入口に接続されている音波集束器２０６の小端、右耳音波集束器２０６の他端は右耳スピーカー２０８に接続され、右耳スピーカー２０８の他端は金属シールド線１９３に接続され、スイッチ１９１を介して他の金属シールド線１９２の一端に接続される。金属シールド線１９２の他端はプラグ１９３に接続されている。  
【０３４２】
３つのエアダクトは平行に接着され、外側が柔軟な素材で覆われている。  
【０３４３】
実施例３５  
【０３４４】
この実施例では、図３４に示すように、長距離ノイズ低減エアダクトマイクを使用している。  
【０３４５】
振動膜２６２は、音響波集中器２６３の大端に設置される。振動膜２６２の外面にはカバー２６１が追加され、カバー２６１に複数の貫通孔が設けられて振動膜２６２を音響波集束器２６３の大端に固定する。音波コンセントレータ２６３の小さい方の端は、空気ダクト２６４の一方の端に接続され、空気用ダクトのもう一方の端は、ベルマウス２６５（すなわち、音響増幅器）の小さい方の端に接続され、ベルマウス２６５の大きい方の端は、マイクロフォンに接続され、マイクロフォン２６６の受け面のカバー２６１の周辺までのすべての接合部が密封されている。  
【０３４６】
小型マイクのワイヤー２６７はアンプ２６８に接続され、アンプの出力端は金属シールドされた絶縁ワイヤーに接続され、コネクターを介してコミュニケーターに接続される。  
【０３４７】
空気ダクトの長さ２６４は３００ mmに設定され、穴は３ mmです。従前のマイクの小さなマイク２６６の代わりに、安全ヘッドフォンのすべてのマイクをベルマウス２６５に取り付けることができる。  
【０３４８】
実施例３６  
【０３４９】
本実施形態では、カバー２６１、振動板２６２、音波集束器２６５、送風管からなる音響管を用いており、口径の異なるマイクロホンをホーンの大きさを変えて接続することにより、騒音を低減することができる。放射線防護の目的と効果、残りの設置構造は実施例３５と同じである。  
【０３５０】
実施例３７  
【０３５１】
この実施例では、モノチャネルバイノーラルヘッドマウント型全空気ダクトノイズキャンセリングヘッドセットが使用されている。   
【０３５２】
プラグ２９０からの信号は、コミュニケーターに接続された金属シールド絶縁線２８９の音声信号線の通信信号線から大型スピーカー２８４に接続され、大型スピーカー２８４の他端は音波集線器２８４-１の大型端に接続され、音波が集中する。装置２８４−１の小さい方の端は、複合空気ダクト２８３の大きい方のチューブ２８８に接続されている。大きい方のチューブ２８８のもう一方の端は、三方２９０の長い方の端に接続され、ケーブルタイ３００で固定されている。三方２９０のもう一方の端は、シーリングリング２９５、シーリングリングに接続されている。 ２９５の他端は右耳分岐空気ダクト２９４に接続され、右耳分岐空気ダクト２９４の他端は密封リング２９２に接続され、密封リング２９２の他端はエルボ２９１に接続され、そしてエルボ２９１の他端は音響空洞２９１−１に接続され、曲がっている。ヘッドの底面には取り付けプレート２７４-１があり、４つのネジ２９３で右耳シェル２７４に固定されており、エルボーを正確に位置決めするための位置決めピンが付いている。また、サウンドキャビティの出口に多孔性のカバープレートがある。  
【０３５３】
三方２９０の上方には、細管３０２が設けられている。細管３０２の一端には、三方２９０を接続するための微小音波集中ポート３０２−１が設けられ、細管３０２の他端は、微小音響空洞３０１に接続されている。音響空洞カバープレート３０１−１があり、音響空洞カバープレート３０１−１には、複数の貫通する小さな穴が設けられている。  
【０３５４】
ボウフレーム２７３と右耳分岐エアダクト２７２が設定されたスイング角度で移動できるように、可動溝２７０が設けられた構造であり、シールリング２９５は、スイング軸上に設けられ、ボウフレーム２７３と右は、ゴムなどの柔軟な材料でできている。耳の空気ダクト２７２は柔軟であり、音波の伝達は妨げられない；  
【０３５５】
スモールパスパイプ３０２の内径は３パス２９０の内径よりもはるかに小さく、特定のサイズは右耳につながる分岐ダクトの減衰値によって計算および決定されるため、両側の耳の音量は同じになる。  
【０３５６】
三方２９０の底部には取付板２９７があり、取付板２９７には小穴が開いているので、ネジ２９０-１で左耳ハウジング２７６の底面に取り付け、位置決めピンをセットして３つのリンクを左耳ハウジング２７６の下に正確に取り付ける。大型スピーカ２８４の放音口からの右耳用音響空洞のカバーと左耳用音響空洞のカバーの接合部はすべて密閉されている。音波は漏れず、大型スピーカ２８４からの音は左右の耳に送られる。  
【０３５７】
ボリュームが小さすぎる場合、またはオーディオアンプ回路が大型スピーカーの前面にある場合、アンプ回路は大型スピーカーシェル２８６-Aに設置され、アンプ回路の増幅電力は必要に応じて選択できる。  
【０３５８】
完全なノイズ低減変換システムがセットアップされる。ノイズが低減されたプライマリマイクがスピーカー２７８をアンプ２８２-Aにプッシュし、スピーカー２７８のサウンドアウトレットが音波コンセントレーター２７８-Bの大きな端に接続され、音波コンセントレーター２７８ -Bの小さい方の端は小さいエアダクト２７７-Aに接続されている。小さい方のエアダクト２７７-Aは、ノイズ低減ユニバーサルトランスミッションアーム２７７から左耳ハウジング２７６に通され、ハードコネクタ２７５に接続され、ハードコネクタ２７５の他端が挿入されている。複合空気ダクト２８３の小管２８９の端部には、複合空気ダクト２８３の小管２８９の他端が、絶縁板２８５を介して湾曲した硬質管２７５-Ａに接続され、小ホースを介して二次受信機音響濃縮器２７５の小端に接続される。音波集信装置２７５（すなわち、音声増幅器）の大きな端は、二次受信機２７５-Ｂの受信表面に接続され、二次受信機２７５-Ｂのワイヤは、スイッチ２８６の制御を介して金属遮蔽絶縁線２８７の受信線に接続される。このスイッチは受信システムを開閉して、相手がユーザーの音声を聞いたり聞いたりできるようにしてから、コネクタ２９０を介してコミュニケーターを接続する。コンバーターのバッテリーは、コンバーターハウジング２７８-Aにインストールされ、コンバーターハウジングインジケータライト２８１は、電源がオフにされたことを示すために２７８-Aに設けられている。コンバーターに成形されたスイッチハウジング２７８-Aには、電源のオンとオフを制御するスイッチ２７９-Aが装備されている。スイッチ２７９-Aはゴム製パッドで密閉され、バッテリー、スピーカー２７８およびアンプ回路を充電するための防水充電ジャック２８２が備えられている。３つのマイクロフォン２８０の間のスロットプレート２７８-Dに差し込まれたプラグイン絶縁プレート２７８-Cがある。スロットプレート２７８-Dは柔軟な材料で配置されて密閉され、スピーカー２７８の配線は絶縁プレート２７８-Cを通過して接着剤で密閉される。コンバーターハウジング２７８-Aは、ネジ２７７-Aでユニバーサルアーム２７７に、または射出成形固定シートでユニバーサルアーム２７７に固定されている。複合エアダクトは、１つのチューブに２つの大小のチューブがあり、外観は１つだけです。美しいチャンネルと軽いチャンネルの２つがある。  
【０３５９】
大型スピーカー２８４が二次受信機２７５-Ｂと干渉しないように、大型スピーカー２８４を二次受信機２７５-Ｂから隔離するために、筐体２８６-Ａに分離板が設けられる。  
【０３６０】
実施例３８  
【０３６１】
実施例３７で説明するモノ回路両耳ヘッドマウント全風路消音ヘッドセット消音マイクの構成は、アクティブオーディオ信号をパッシブ信号に変換し、アクティブオーディオ信号に戻す装置である。  
【０３６２】
本実施実施例の消音マイクは、伝導モードが実施実施例３７と異なり、その他の構成は実施実施例３７の消音イヤホンと同じである。  
【０３６３】
この実施例では、エアダクトマイクを適用したものであり、図３５に示すように、ユニバーサルトランスミッションアーム２７７−１の先端には筐体２７８−Ｃが設けられており、筐体２７８−Ｃにはマイク２６２−１が備えられている。音響管２６２−１は、カバー２６１、振動板２６２、音響波集束器２６３、および小さな空気ダクト２６４を含む。小さな空気ダクト２６４は、ノイズ低減ユニバーサル伝達アーム２７７−１から左耳ハウジング２７６−１に通じている。 、ハードコネクタ２７５-１に接続され、ハードコネクタ２７５-１の他端は複合空気ダクト２８３-１の小管２８９-１の一端に挿入され、複合空気ダクト２８３-１の小管２８９-１の他端は接続される。湾曲した硬質管２７５−Ｃは、絶縁板２８５−１を通り、小さなホースを通って、小さなマイクロホン２７５−Ｄの小さなホーン２７１−１（すなわち、音響増幅器）の小さな端、および小さなホーン２７１−１の大きな端に至る。小型マイク２７５-Ｄの先端は小型マイク２７５-Ｄの受信面に接続され、小型マイク２７１-１の配線は、スイッチ２８６-１の制御により、金属遮蔽絶縁線２８７-１の受信線に接続される。オンにして、相手がユーザーのスピーチを聞いたり聞いたりできるようにしてから、コネクタ２９０-１を介して通信マシンを接続し、パッシブオーディオ信号がアクティブな信号を小さなマイクに直接生成するようにする。変換され、複数の小孔を介してハウジング開口２７８-Cの表面に対してキャップ２６１であると、各回路の接続における比較的単純なコスト周辺シールも低くされている。  
【０３６４】
ハウジング２７８-Cには、大型スピーカー２８４-１を小型マイク２７５-Dから絶縁するための絶縁板２８５-１が備えられている。ワイヤーは絶縁板２８５-１を通過し、接着剤で封止されて、大型スピーカー２８４-１が小型マイク２７５-Dと干渉しないようにする。  
【０３６５】
小型マイクの出力信号の電力が足りない場合は、小型マイクの出力に音声増幅回路を設け、小型マイクの出力音声信号を増幅するため、大型スピーカーのアンプ回路と電源を共有している利点があり、この構造を採用しているのが電源です脳や耳から遠く離れており、放射線を防ぐ効果は絶対に得られる。  
【０３６６】
実施例３９ 
【０３６７】
上記のノイズキャンセリングヘッドフォン  
【０３６８】
この実施例では、左と右の２つのイヤースピーカー、左と右の耳の音波コンセントレーター、およびセカンダリマイク（マイク）がスイッチハウジングに設定されており、接続方法は実施例３４のように変更されていません。３つの空気ダクトの三角形が１つのボディに統合され、柔軟な素材で包まれている。 ;その他のインストール構造は、実施例３４と同じです。  
【０３６９】
実施例４０  
【０３７０】
上記のノイズキャンセリングヘッドフォン  
【０３７１】
この実施例では、右耳付きのエアダクトがスピーカーケースから右耳の音室に斜めに引き込まれている、つまり金属製の弓に沿って導かれておらず、その他の設置構造は実施実施例３４と同じである。  
【０３７２】
実施例４１  
【０３７３】
上記のノイズキャンセリングヘッドフォン  
【０３７４】
この実施例では、スイッチ筐体のＥ面、すなわち図２９のＥ面から左耳筐体に接続された３本の空気ダクトが導出されており、その他の設定は実施実施例３４と同じである。  
【０３７５】
実施例４２ 
【０３７６】
上記のノイズキャンセリングヘッドフォン 
【０３７７】
この実施例では、ノイズ低減ヘッドバンドノイズ低減ヘッドフォンをモノラル回路として使用し、左耳スピーカーと右耳スピーカーを組み合わせて、音響集音器を介して音波導管から左耳音響空洞の３方向側の入り口までスピーカーを使用している。 T型には２つの出口があり、１つは右耳の音響空洞の入口に接続されており、もう１つは鋼製の弓に沿って右耳の音響空洞への音波ガイドに接続されている。  
【０３７８】
実施例４３ 
【０３７９】
上記のノイズキャンセリングヘッドフォン  
【０３８０】
この実施例は、ノイズ低減ヘッドマウントモノラルノイズ低減イヤホンです。弾性のあるボウクリップ１９９はハウジング２００-１に取り付けられ、丸型クリップ２０１はボウクリップの端に取り付けられている。回路構造、接続方法、変換システムの実装実施例３４と同じである。
【０３８１】
マイクエアダクト２０３の一端はコンバータ１９６-１の音波コンセントレータの小端に接続され、音波コンセントレータの大端はコンバータのスピーカの音出力面に接続され、他端はベルマウスのサウンドキャビティ２０３-１に接続されている小さい方の端が接続され、スピーカーキャビティ２０３-１の大きい方の端がセカンダリマイク（つまり、マイク）２０４-１の受信面に接続され、セカンダリマイク（つまり、マイク）２０４-１の他端が金属シールド絶縁ワイヤ２０５に接続されている金属シールドされた絶縁ワイヤ２０５の他端は、一端でプラグ２０６に接続されている；  
【０３８２】
左耳のエアダクト２０２は、一端が筐体２００-１の放音キャビティの入口に接続され（構造は図３３-２を参照、音キャビティは２０９-２と番号が付けられている）、他端は音波集束器２０５-１の小端に接続されている。音波集線装置２０５-１の大端はスピーカー２０７-１に接続され、スピーカー２０７-１の他端は金属シールド絶縁ワイヤ２０５に接続され、金属シールド絶縁ワイヤ２０５の他端はプラグ２０６に接続され、二次マイクロフォン（すなわち、マイクロフォン）はに接続される分離プレートは、左耳スピーカーと音波集信装置の間の音を分離するために使用される。  
【０３８３】
マイクはパッシブ伝送へのアクティブ変換を採用し、その後アクティブ伝送に復元する。送風管は非常に長く設定でき、マイクはサウンドポートの近くにあり、ノイズ低減の効果を達成すると同時に、耳と脳の損傷に対する非常に高い保護を実現する。  
【０３８４】
実施例４４  
【０３８５】
上記のノイズキャンセリングヘッドフォン  
【０３８６】
この実施例では、イヤーラックフック２１１、ノイズ低減伝送アーム１９８-２、伝送アーム１９８-２、および端子を備えたスリーインワンブラケットボディを備えた、騒音低減フックイヤータイプのモノイヤーの安全ヘッドセットを使用している。頭部には変換システム１９６-２、本体には耳栓、耳栓には音響空洞（構造形状と図３３-２、音響空洞番号は２０９-３）があり、音響空洞２０９-３の入口は耳栓に接続されている送風管２１２の一端、送風管２１２の他端は音波集束器２１２−１の小端に接続され、音波集束器２１２−１の大端にはスピーカ２１４−１が設置されている。スピーカ２１４-１および２次マイク（すなわち、マイク）２１４-２は、いずれもスピーカ筐体２１４に設置され、スピーカ２１４-１から遮音されている。ノイズ低減変換システムの回路接続形態の構成は、実施の形態３９と同様である。  
【０３８７】
実施例４５  
【０３８８】
上記のノイズキャンセリングヘッドフォン  
【０３８９】
ポータブルアーム２３０の上端にレシーバキャビティ２１８、オーディオキャビティ２１８の端面にある上部カバー２２８、エアダクト２２０の一端に接続されたオーディオキャビティ２１８の他端、および音波コンセントレータに接続されたエアダクト２２０の他端を備えた安全なポータブルイヤホン２２２の小さい方の端が接続され、音波コンセントレータ２２２の大きい方の端がスピーカー２２４に接続され、スピーカー２２４とマイク２２３の接続ラインがスイッチ２３１を介して金属シールド絶縁ワイヤー２２６に接続され、ワイヤー２２６の他端がプラグ２２５に接続されている；  
【０３９０】
スイッチ２３１は、携帯型ノイズリダクションイヤホンの中央側に設けられており、スイッチ２３１のキーは、コンロッドの機械的伝達により電気スイッチを操作して、スピーカ２２４とマイク２２３とを接続または切断する。  
【０３９１】
実施例４６  
【０３９２】
上記のノイズキャンセリングヘッドフォン  
【０３９３】
この実施例では、スイッチボタン上部のマイクロスイッチ２３３のロングアーム２３２でマイクロスイッチ２３３のON / OFFを行い、その他の設定は実施実施例４１の構成と同じであるため、アクティブ回路は常に脳からの距離を保つ。スピーカーとスピーカーは、本体シェル下の空洞で互いに分離された２つの空洞に設置され、マイク接続ケーブルは、絶縁板を介して接続され、接着剤で密閉されている。この配置により、優れた放射線防護を実現できる。  
【０３９４】
実施例４７  
【０３９５】
上記のノイズキャンセリングヘッドフォン  
【０３９６】
ノイズリダクション：ノイズリダクションイヤホンの本体シェル２３０-１の下部には、ノイズリダクションマイク信号変換システムが装備されている。アクティブオーディオ信号はパッシブオーディオ信号送信に変換され、マイク２３９のリード線がセカンダリオーディオアンプ回路に接続されている。スピーカ２３８、スピーカ２３８のサウンドポートは音波コンセントレータ２３６の大端に接続され、音波コンセントレータ２３６の小端はリベットを介して空気ダクト２４０の一端に接続され、マイクロフォン空気ダクト２４０の他端はトランペット音空洞２４２に接続される。話者の音響空洞２４２の小端は、二次マイクロホン（すなわち、マイクロフォン）２４３の受信表面に接続され、発話者の音響空洞から空気ダクトを通って二次マイクロフォン（すなわち、マイクロフォン）の受信表面に接続される。 ２つの接続はシールされ、２次マイクロホン（すなわち、マイクロホン）２４３の他端は金属遮蔽分離線２４５の一端に接続され、金属遮蔽分離線２４５の他端はプラグ２４６に接続される。  
【０３９７】
変換システムのアクティブ部分には、デバイスのバッテリー供給回路と電源、およびバッテリーとインジケーターライトチューブに接続された充電回路と充電ソケットが備わっている。変換システムのスピーカー２３８とプライマリマイク２３９は、お互いのノイズ低減ノイズを分離するために互いに設置されているコンバーターハウジングの２３０-１の２つのチャンバーでは、マイクのリード線がパーティションを通過し、接着剤で密閉されている。  
【０３９８】
二次マイクロホン（すなわちマイクロホン）２４３およびスピーカー２４１はハウジング２３０-２内に配置され、遮音板がスピーカー２４１の間に配置され、スピーカー２４１の放音面は音波集束器２４２の大きな端に接続される。小さい方の端はスピーカー２４１の空気ダクトに接続され、もう一方の端はサウンドチャンバー２８１-１に接続され、スピーカー２４１のリード線は金属シールド絶縁ワイヤー２４５に接続され、金属シールド絶縁ワイヤーの他端はプラグ２４６に接続されている。  
【０３９９】
実施例４８  
【０４００】
上記のノイズキャンセリングヘッドフォン  
【０４０１】
この実施例では、ノイズ低減航空ヘッドマウントノイズ低減ヘッドフォンが使用されている。その構造は次のとおりです。レザーヘッドバンド縫合鋼ヘッド弓２４７、ヘッド弓２４７および調整可能ブラケット２５１はボルトで固定され、調整可能ブラケット２５１および固定ブラケット２５２は自動ロック式です。キャップは固定接続され、固定ブラケット２５２はロックカラムを介して左耳シェル２５３に接続され、右耳シェル２５０と左耳シェル２５３は対称と同じ方法で接続され固定される；  
【０４０２】
騒音低減マイク２５４-１はマイクシェル２５４に設置され、マイクシェル２５４は風向変更スパイシーホイール構造を介してユニバーサルホース２５５に接続され、左右の音室はイヤーシェルに設けられ、右の音室のエアダクト２５８は通過左耳シェルはスチール製の弓２４７ブラケットに続き、右耳シェルの音響空洞に接続する。  
【０４０３】
実施例４９  
【０４０４】
上記のノイズキャンセリングヘッドフォン  
【０４０５】
この実施例では、スピーカーハウジング２５６は右耳の空洞と右の音声空洞の対角線上に接続されており、残りの設定は実際の４４の実施形態と同じである。  
【０４０６】
実施例５０  
【０４０７】
上記のノイズキャンセリングヘッドフォン 
【０４０８】
各耳には、周波数応答が異なる３つのスピーカー、周波数応答が異なる３つの音波チャネル、チャネルに接続された音声キャビティ、および音声チャネルチャネルワイヤーが備わっている。対応する構造は、請求項２４に記載されている。１７６およびムービングコイルスピーカー１６９、１７８は、それぞれ、音響波コンセントレータ１６５、１７５および１６８、１７７の大端に構成され、それぞれの音響波コンセントレータ１６５、１７５および１６８、１７７は、それぞれ、空気ダクト１６３、１６４および１６４を備えている。 １７３および１７４の一方の一端、空気ダクト１６３、１６４および１７３、１７４の他端は、耳が聞くために音室１６０、１６１および１７０、１７１内の耳栓１６２および１７２にそれぞれ接続される。スピーカーの場合、請求項２４（図２８）に基づいて、各耳はスピーカー、送風管、およびリスニングキャビティのセットを追加し、その構造と接続は請求項２４と同じです。  
【０４０９】
実施例５１  
【０４１０】
上記のノイズキャンセリングヘッドフォン,  
【０４１１】
バイノーラルノイズキャンセリングイヤホンは、実施例４７に基づいて２ペアを装備した超高音質のノイズキャンセリングイヤホンです。  
【０４１２】
実施例５２  
【０４１３】
上記のノイズキャンセリングヘッドフォン,  
【０４１４】
ノイズ低減およびノイズ低減ヘッドフォンは、周波数応答の異なる複数のスピーカーを備えた２つの耳に設定される。これらは、ノイズ低減および高品質のノイズ低減ヘッドフォンです。  
【０４１５】
実施例５３  
【０４１６】
この実施例では、ウーファーを装備した最初の回路を使用している。  
【０４１７】
オンライン制御イヤホン（図２７）高周波スピーカーと低周波スピーカーを装備したノイズリダクションイヤホンは、２つのスピーカーのオーディオ信号入力チャンネルに分周回路を装備し、２.２μFの容量を持つ高周波スピーカー３０５にコンデンサC１が追加されている。  
【０４１８】
インダクタンスL１はベーススピーカー３０６のオーディオ信号入力端子のループから直列に接続され、インダクタンスは０.５７mHです。  
【０４１９】
図５６に示すように、高低域のクロスオーバーポイントは４５００HZとして選択されている。  
【０４２０】
実施例５４ 
【０４２１】
この実施例では、ウーファーを備えた２番目のタイプの回路が使用されている。  
【０４２２】
バイノーラル型ワイヤー制御ヘッドフォン（図２８）では、１.１μFの容量を持つコンデンサーC１がツイーター３０７の入力端子に直列に接続され、１.３１ mHのインダクタンスを持つインダクターL１が並列に接続され、インダクターL２がウーファーの入力端子に接続されている図５７に示すように、コンデンサC２を１.１μFの容量と並列に接続する。  
【０４２３】
実施例５５  
【０４２４】
この実施例では、３つの高低域スピーカーを備えた３ウェイ周波数構成の３番目の回路を使用している。  
【０４２５】
オンラインコントロールヘッドセット（図２８）に基づいて、各耳にスピーカー、送風管、リスニングキャビティのセットが追加される。つまり、３つの異なる周波数応答スピーカー、３つの異なる周波数応答音波チャネル、チャネル接続された音響空洞と音波チャンネルリード、クロスオーバーツイーター３０９の入力端子の１つは容量１μFのコンデンサC１に接続され、回路は容量１.０２mHのインダクタL１と並列に接続され、コンデンサC２はクロスオーバーミッドレンジスピーカー３１０の入力の前に接続される。容量１１.０６μFの後に容量１.０２mHのインダクタが続く。容量C２の容量１１.０６μFとインダクタンスL３の容量１.０２mHの間には、容量１１.３２mHのインダクタL２がスピーカーのもう一方の端に接続されている。図５８に示すように、コンデンサーC３、インダクターL４を備えた３ウェイサブウーファー３１１入力シリーズ、容量１１.３２mH、並列コンデンサーC４、容量１１.０６μF、クロスオーバー周波数バス４５０HZ、高周波５０００HZ線が表示されている。  
【０４２６】
実施例５６  
【０４２７】
この実施例では、エアダクト付きのヘッドセットが使用されている。両耳に取り付けられたサウンドキャビティは、長さ３００ mmのエアダクト８６および９２に接続されている。オーディオワイヤは、透明な金属製シールドシールドシールドで接地されている。一端はスピーカー８８に接続され、マイク９６のオーディオワイヤもプラグ９８に接続される。もう一端はマイク９６を拾う。マイク９６とスピーカー８８および９４は５０ mmの距離を維持する。マイク９６にはハウジング９６-１が備えられている。送風ダクト１Ａと音波集音器２Ａの両端は中空のリベット３Ａで固定され、送風ダクトは屈曲部４Ａとなっている。 ５A、次に耳栓５Aを耳に挿入して聴くと、残りの設定は実施例２４と同じです。  
【０４２８】
実施例５７  
【０４２９】
この実施例では、耳栓ヘッドと送風ダクトが接続する位置に送風ダクト可動コネクタを設けており、その構造は次のとおりです：  
【０４３０】
コネクタ１４Cには左右２つの逆さまボタンが設けられており、内径の一端は金属スリーブのエアダクト１５Cで覆われている。中空コアリベット１３Cはコネクタ１４Cにリベット留めされている。エアダクトの他端にもコネクタ１４C１が配置されている。 １４Cと同様に、スピーカーエンクロージャーの音波コンセントレーターに移動可能に接続できる。図６２と６３に示すように、エアダクトの両端の可動コネクターは対称であり、両端を交換できる。  
【０４３１】
このようにして、耳栓ヘッド構造のコネクティングチューブは、大中小のパープルになり、ユーザー自身が交換することができる。  
【０４３２】
実施例５８  
【０４３３】
この実施例では、別の構造の送風ダクト可動コネクタが、耳栓ヘッドが送風ダクトに接続されているポイントに提供されている。  
【０４３４】
通風ダクト可動ヘッドAA、一端はおねじ１８C、内穴２０Cの内径は通風ダクトの内径、可動ヘッドAAの他端の内端は通風ダクトの外径と同じ大きさに設定し、通風ダクト２４Cを挿入接着剤はしっかりしている。可動ヘッドAA １９Cの外径は、耳栓ヘッドと送風ダクトの２１Cサイズと同じである。耳栓ヘッドの内穴はネジ穴２２Cで加工されている。可動ヘッドAAの外ネジ１８Cと併用すると、そのサイズを回転させることができる。底部は交換可能で、耳栓ヘッドは赤で作られていて、エアダクト２４の他端は別の可動ヘッドBBに接続されていて、可動ヘッドBBの構造は可動ヘッドAAと同じで、可動ヘッド２５Cの内径はエアダクトの接着剤、ネジ山２６Cおよびスピーカーと一致しているケーシングのネジ穴は一致し、交換可能です。可動ヘッドAAと耳栓ヘッドチューブの間の接続部に装飾リングが追加され、可動ヘッドBBとスピーカーの間の接続部に装飾リングが追加される。可動ヘッドAAと可動ヘッドBBのねじ山は同じである。耳栓頭部のネジ穴２２Cやスピーカーのネジ穴と交換可能である。  
【０４３５】
実施例５９ 
【０４３６】
本発明の特許取得済みのノイズ低減イヤホンと変換プラグのコネクタは、Bluetoothイヤホンに適合したジャックとして設定され、耐放射線Bluetoothイヤホンとして使用される。  
【０４３７】
上記の開示は、本発明の好ましい実施形態にすぎず、もちろん、本発明の範囲を限定するために使用することはできず、したがって、本発明の特許請求の範囲に従ってなされた同等の変更は、依然として本発明の範囲内にある。
【図１】
2020536463.tif 000003
【図２】
2020536463.tif 000004
【図３】
2020536463.tif 000005
【図４】
2020536463.tif 000006
【図５】
2020536463.tif 000007
【図６】
2020536463.tif 000008
【図７】
2020536463.tif 000009
【図８】
2020536463.tif 000010
【図９】
2020536463.tif 000011
【図１０】
2020536463.tif 000012
【図１１】
2020536463.tif 000013
【図１２】
2020536463.tif 000014
【図１３】
2020536463.tif 000015
【図１４】
2020536463.tif 000016
【図１５】
2020536463.tif 000017
【図１６】
2020536463.tif 000018
【図１７】
2020536463.tif 000019
【図１８】
2020536463.tif 000020
【図１９】
2020536463.tif 000021
【図２０】
2020536463.tif 000022
【図２１】
2020536463.tif 000023
【図２２】
2020536463.tif 000024
【図２３】
2020536463.tif 000025
【図２４】
2020536463.tif 000026
【図２５】
2020536463.tif 000027
【図２６】
2020536463.tif 000028
【図２７】
2020536463.tif 000029
【図２７−１】
2020536463.tif 000030
【図２７−２】
2020536463.tif 000031
【図２８】
2020536463.tif 000032
【図２８−１】
2020536463.tif 000033
【図２９】
2020536463.tif 000034
【図３０】
2020536463.tif 000035
【図３１】
2020536463.tif 000036
【図３２】
2020536463.tif 000037
【図３２−１】
2020536463.tif 000038
【図３３】
2020536463.tif 000039
【図３３−１】
2020536463.tif 000040
【図３３−２】
2020536463.tif 000041
【図３３−３】
2020536463.tif 000042
【図３３−４】
2020536463.tif 000043
【図３４】
2020536463.tif 000044
【図３５】
2020536463.tif 000045
【図３６】
2020536463.tif 000046
【図３７】
2020536463.tif 000047
【図３８】
2020536463.tif 000048
【図３９】
2020536463.tif 000049
【図４０】
2020536463.tif 000050
【図４１】
2020536463.tif 000051
【図４２】
2020536463.tif 000052
【図４３】
2020536463.tif 000053
【図４４】
2020536463.tif 000054
【図４５】
2020536463.tif 000055
【図４６】
2020536463.tif 000056
【図４７】
2020536463.tif 000057
【図４８】
2020536463.tif 000058
【図４９】
2020536463.tif 000059
【図５０】
2020536463.tif 000060
【図５１】
2020536463.tif 000061
【図５２】
2020536463.tif 000062
【図５３】
2020536463.tif 000063
【図５３−１】
2020536463.tif 000064
【図５４】
2020536463.tif 000065
【図５５】
2020536463.tif 000066
【図５６】
2020536463.tif 000067
【図５７】
2020536463.tif 000068
【図５８】
2020536463.tif 000069
【図５９】
2020536463.tif 000070
【図６０】
2020536463.tif 000071
【図６１】
2020536463.tif 000072
【図６２】
2020536463.tif 000073
【図６３】
2020536463.tif 000074
【図６４】
2020536463.tif 000075
【図６５】
2020536463.tif 000076
【図６６】
2020536463.tif 000077
【図６７】
2020536463.tif 000078
【手続補正書】
【提出日】令和2年6月8日(2020.6.8)
【手続補正１】
【補正対象書類名】明細書
【補正対象項目名】全文
【補正方法】変更
【補正の内容】
【発明の詳細な説明】
【技術分野】
【０００１】
本発明は、エアダクトマイクロホン、騒音低減イヤホンおよびブルートゥース（登録商標）イヤホンに関する。
【背景技術】
【０００２】
携帯電話やその他の通信機器に付属しているイヤホンなど、一般的に使用されているイヤホンには、プラグ、ワイヤー、イヤフォンが含まれ、イヤフォンには小型スピーカーが装備されている。携帯電話を直接使用して通話を行うため、携帯電話から発生する超高周波磁場などの有害な放射線は、人々の脳と神経をひどく刺激し、人々の健康に影響を与える。電波や熱エネルギーなどのさまざまな放射線による人間の脳の損傷。ただし、スピーカーを直接イヤホンのヘッドに取り付けた通常のイヤホンを使用しても、イヤホンヘッドから耳の内側へのUHFワードフィールドなどの放射線を受信することにより、直接脳を損傷する危険を避けることはできません。さらに、内蔵スピーカー自体のイヤホンヘッドには、高さが１６００ガウスの永久磁場があり、これも人間の脳に損傷を与える。したがって、携帯電話またはそのようなイヤホンを長時間、高頻度で使用すると、頭痛、めまい、しびれなどの症状が生じやすくなる。
【０００３】
特許文献１：特許番号：ＺＬ０４８２８．４、名称：非放射性イヤホンなどの反電磁波放射イヤホンの既存技術が、一方には５-１０ cmの音波チャンネルしかないため、もう一方には金属が備わっていませんシールドされた絶縁ラインは、２mG（ミリガウス、以下同じ）または２mG未満の要件を満たしておらず、２mGまたは２mG未満の制御は、磁場が人体に有害であるためだ。スタンフォード大学博士で携帯電話発明者で台湾交通大学のShi Min教授からのリクエスト。したがって、先行技術のイヤホンは、電磁放射の上記の要件を満たすことができず、音の空洞などがない。したがって、周波数応答は良好ではありません。本発明者が出願した特許文献２：特許番号：２００８１０１６７２２６．５、および名称は安全イヤホンのアプリケーションドキュメント。安全イヤホンの５つの発明も開示されている。放射保護を実現し、音質を改善する方法が開示されている。この方法は、世界９か国から特許を取得していますが、この特許の音質は、従来のヘッドフォンの音質を超えていません。この出願は、音質が従来のヘッドフォンの音質を上回り、放射線を防ぐ効果をさらに改善し、放射線のない効果を達成できることを開示している。
【０００４】
既存のイヤホンとマイクには２つのタイプがある。１つ目は、携帯電話で一般的に使用されるイヤホン、イヤホンラインに設定される無線マイク、またはBluetoothヘッドセット、無線マイクはBluetoothイヤホンハウジングに設定され、マイク距離は使用されるユーザーの口の近くには一定の距離があり、ユーザーの声を明瞭に受信するにはマイクの無線感度を高く設定する必要がありますが、このデザインはユーザーが話す環境のさまざまなノイズも明確に受信する。 顧客サービス担当者が使用するコールヘッドセットなどのバイノーラルヘッドセットなど、マイクは金属線で接続され、マイクはユーザーの口の近くに設置される。
【０００５】
電話固定電話、携帯電話、ノートブック、およびその他のデバイスなど、長距離のノイズリダクションマイクを備えたデバイスには、上記の問題が多く、ノイズが多い、または放射状のものがある。
【０００６】
要約すると、電磁放射を完全に防止し、従来の長距離騒音低減マイクよりも優れた騒音を低減できる長距離騒音低減マイクが大いに必要である。
【先行技術文献】
【特許文献】
【０００７】
【特許文献１】中国特許ＺＬ０４８２８．４
【特許文献２】中国特許２００８１０１６７２２６．５
【発明の概要】
【０００８】
本発明の目的は、従来技術の短所と欠点を克服し、主にエアダクトマイク、ワイヤー制御ノイズ低減ヘッドセット、およびヘッドセットを含む長距離ノイズ低減マイク、ノイズ低減ヘッドセット、およびBluetoothヘッドセットを提供すること。ノイズリダクションヘッドフォンなどでは、２つの耳に異なる周波数応答を持つ複数のスピーカーを使用して聴くため、周波数応答は特に良好で、従来のヘッドフォンよりも優れている。また、特別なノイズ低減スキームが設定され、さらに重要なことは低減ノイズ周波数信号変換システム。アクティブノイズ低減周波数信号の伝送をパッシブオーディオ信号の伝送に効果的に変換し、アクティブオーディオ信号の伝送に戻る。これにより、エアダクトのパッシブ信号伝送を１０００mmまたは１０００mmに配置できる。その他の長さの場合、金属シールドされた絶縁ラインが設定されているため、人体は通信機の放射から長い距離シールドされますが、マイクは音の口の近くに維持され、それにより良好なノイズ低減と高い放射線保護効果が実現される。音質が高いため、既存の耐放射線性のイヤホンマイクは遠くにあるため、ダクトの外側に配置する必要があるという技術的な問題を解決する。後方チューブの効果は、音がまだ小さい。
【０００９】
したがって、本発明は確かに、高強度の放射線保護、高音質、およびノイズ防止を備えた優れたノイズ低減イヤホンである。
【００１０】
ノイズリダクションエアダクトマイクには音波コンセントレーターが含まれており、音波コンセントレーターの大端部には、外部音波信号を捕捉して外部音波信号を増幅するために使用される音声信号捕捉ユニットがある。 音波は波の形で増幅されるか、電気信号に変換されて増幅された後、音波コンセントレータの小さな端に出力される。音波コンセントレータの小さな端は空気ダクトに接続され、空気ダクトのもう一方の端は受信機に接続される。 受信装置は、空気ダクトの音波信号を受信し、それを音響電気信号に変換し、音響電気信号をコネクタを介して音声端子に接続する。 音情報はエアダクトを介して送信される。エアダクトは比較的長く設定できるため、人々はある程度の放射線で電気機器から離れ、電話の受話器によって電気信号に変換され、コネクタを介して音声端末に送信される。エアダクトマイクは、マイクまたはマイクとして単独で使用でき、携帯電話、固定電話、コンピューター、ノートブック、およびネットワークを介して通信できるその他のデバイスなどの通信機器に接続できる。また、音声情報を収集するために使用される音声を録音できるデバイスは、通話に使用できる。 録音などは、ヘッドセット構造の一部として使用して音声情報を収集することもできる。
【００１１】
音響信号捕捉ユニットは振動フィルムです。 外部音波信号が振動板に到達し、振動板が振動し、音波信号を増幅してから、空気ダクトを伝播する。
【００１２】
カバーが振動膜の外側に取り付けられており、蓋には複数の貫通穴が設けられており、振動膜を音響コンセントレータの大端部に固定している。
【００１３】
音声信号キャプチャーユニットには、プライマリマイク、アンプ、スピーカーが含まれる。スピーカーのアウトレットは音波コンセントレータの大端に接続され、音波コンセントレータの小端はエアダクトに接続され、エアダクトの他端はレシーバーデバイスに接続される。 デバイスは、空気ダクトの音波信号を受信し、それを音声電気信号に変換し、受信機デバイスはコネクタを介して音声電気信号を音声端子に接続する。 音声信号キャプチャユニットは、ノイズリダクションコンバーターを構成する。
【００１４】
レシーバーにはスピーカー型のサウンドアンプが含まれており、サウンドアンプの小さい方の端がエアダクトに接続され、サウンドアンプの大きい方の端がマイクに接続され、マイク出力がアンプに接続され、アンプの出力端が金属シールドに接続されている。オフラインにし、コネクタを介して音声端末を接続する。マイクも呼び出すことができる。
【００１５】
上記のエアダクトマイクに接続されたBluetoothヘッドセット、Bluetoothヘッドセットにはオーディオ入力ジャックがあり、コネクターまたはコネクターと変換コネクターはオーディオ入力ジャックとの信号接続を形成する。 本発明のノイズ低減マイクロホンのコネクタ、またはブルートゥース（登録商標）ヘッドセットに適合したジャックにセットされたプラグまたはコネクタは、耐放射線ブルートゥース（登録商標）ヘッドセットとして使用することができる。
【００１６】
騒音低減エアダクトマイクとは
【００１７】
耳栓の頭部、音の空洞の本体は耳栓の頭部の内側に形成されており、音の空洞の本体の第１の端には音の出口がある。
【００１８】
本体には、本体の内部に音波集束キャビティが設けられ、音波集束キャビティにはチャネルポートが設けられており、チャネルポートと音響キャビティ本体の第２の端部は音波伝送チャネルを介して連通している。
【００１９】
ミニチュアスピーカー、音波集中空洞はミニチュアスピーカーと音波伝送チャンネルの間に配置されている。
【００２０】
マイクロスピーカーは本体の外側にあるワイヤーの第１端に接続され、ワイヤーの第２端はプラグに接続されている。
【００２１】
マイクまたはアクティブオーディオ信号をパッシブ伝送信号に変換してから、アクティブ信号伝送に戻るノイズ低減変換伝送システムエアダクトマイクである。
【００２２】
上記のノイズキャンセリングヘッドフォン
【００２３】
それは、（１）構造が左耳イヤホン１９５、音響キャビティカバー１９５-３、左耳イヤホン１９５-１、右耳イヤホン１９４、および右耳イヤホン１９４を備えたノイズ低減ヘッドマウント安全イヤホンによって特徴付けられる。 １.ヘッドバンド１８５、スイッチおよびスイッチハウジング１９１、ノイズリダクショントランスミッションアーム１９８、ノイズリダクションコンバータ１９６、左ハウジング１９５-１、スピーカーハウジング１９０、プラグ１９３、ノイズリダクションコンバージョンシステムを装備：ノイズリダクションマイク２８０ 、アクティブオーディオ信号がパッシブオーディオ信号送信に変換され、アクティブオーディオ信号送信に復元され、マイクリードがセカンダリオーディオアンプ回路に接続されるように設定され（図３２）、スピーカーを駆動し、回路が電力とステージ数とパフォーマンスを増幅する。選択されたマイクロフォンエアダクトの長さと直径に応じて、スピーカー２０７および２０８のサウンドポートは音響波コンセントレータ２０５および２０６の大きな端に接続され、音響波コンセントレータ２０５および２０６の小さな端はリベットを介してマイクロフォンエアダクト１８９に接続される。１８９−１は一端に接続され、マイクロフォン空気ダクト１８９−１の他端はベルマウスキャビティの小さな端２０３に接続され、ベルマウスキャビティ２０３の大きな端は二次マイクロフォン２０４の受信面に接続される。口からエアダクトを通って２番目のマイクレシーバーまで接続はすべて密閉されている。セカンダリマイクの他端は金属シールド絶縁ライン１９２の一端に接続され、金属シールド絶縁ライン１９２の他端はプラグ１９３の一端に接続され、プラグ１９３の他端は通信機のソケットに接続されている。
【００２４】
変換システムのアクティブ部分には、電子回路基板と、バッテリー供給回路とデバイス用の電源、バッテリーに接続された充電回路と充電ソケット、電源インジケータ発光管、および電源スイッチがあり、上記の変換システムがアクティブです オーディオ信号のコンポーネントはすべてコンバーターハウジングに取り付けられ、変換システムのスピーカーは、メインマイクから一定の距離を置いてマイクの中央に、または左耳ハウジングのサウンドキャビティの外側に取り付けられる（図３２）。回路は、マイクのエアダクトの長さに応じて変更できる。 電力は異なるチップと異なる回路を選択する。
【００２５】
マイクはパッシブ伝送へのアクティブ変換を採用し、その後アクティブ伝送に復帰する。送風管は非常に長く設定でき、マイクはサウンドポートに近接してノイズ低減の効果を達成し、耳と脳の損傷に対する非常に高い保護を実現する。
【００２６】
左耳用エアダクト１８７-１の一端は音響空洞２０９-１の入口に接続され、他端は音波集束器２０５の小端に接続されている。音波集束器２０５の大端はスピーカー２０７に接続され、スピーカー２０７の他端は金属シールド線１９２に接続されている。 右耳用エアダクト１８８-１は、左耳ハウジング１９５-１およびスピーカーハウジング１９０に平行で右耳に接続された左耳用エアダクト１８７-１を介して、金属製ボウ１８６の外側または内側に沿った他端で右耳音響室の入口に接続されている 音波集中器２０６の小端、右耳音波集中器２０６の他端は右耳スピーカー２０８に接続され、右耳スピーカー２０８の他端はスイッチ１９１を介して金属シールド線１９２に接続され、スイッチ１９１を介して他の金属シールド線１９２の一端に接続される。 金属シールド線１９２の他端はプラグ１９３に接続されている。 または、左と右の２つのイヤースピーカー、左と右の耳の音波コンセントレーター、およびセカンダリマイクがスイッチハウジング１９１に設定されている。接続方法は変更されていません。サウンディングキャビティの出口には単一の穴または複数の小さな穴があり、上記のスピーカーの対流穴は次のように設定されている。 取り付けられたハウジングの外側の列、マイク、スピーカーは分離する必要がある。
【００２７】
３つのエアダクトが並列に結合されている（図３３-１）、または三角形が１つに結合されている（図３３-４）、または三角形が１つに結合されて柔軟な材料で包まれている、または３つの空気ダクトが１つのものとして制御されており、材料は不要；
【００２８】
または、スピーカーケースから斜めに引き出された右耳のエアダクトを右耳のサウンドキャビティの入り口に設定する。つまり、金属製の弓を通さないようにする。
【００２９】
または、コミュニケーターからオーディオ信号を送信するスピーカーハウジングのスイッチの前面から引き出されるように上記の３つの空気ダクトを設定するか、すべての空気ダクトがE面から、つまり図２９に示すE面から引き出され、左耳ハウジングに接続される。
【００３０】
組み立てるときは、シェルの各継ぎ目を接着剤でコーティングして、密封して防水する必要がある。
【００３１】
(２) 振動膜２６２を音響波集束器２６３の大端に設置し、振動膜２６２の外面にカバー２６１を追加。カバー２６１に複数の貫通孔を設け、振動膜２６２を大型の音響波集束器２６３に固定する。音波集束器２６３の小端は空気ダクト２６４の一端に接続され、空気ダクトの他端は他のベルマウス２６５の小端に接続され、ベルマウス２６５の大端は小さなマイクロフォン２６６から小さなマイクロフォンに接続される。受け面からカバー２６１の周辺までのすべての接合部はすべて密封されている；
【００３２】
小型マイクのワイヤー２６７はアンプ２６８に接続されており、アンプの出力は実際のニーズに応じて決定され、アンプ２６８の出力端は金属シールド絶縁線２６９に接続され、コネクターを介してコミュニケーターに接続される。
【００３３】
空気ダクト２６４の長さは３０ｍｍから１５００ｍｍに設定され、穴は１ｍｍから５ｍｍであり、穴の長さと直径は特定の要件に従って任意に選択することができる；
【００３４】
この装置は、従来のマイクロホンの代わりにすべての安全イヤホンのマイクロホンをベルマウス２６５に取り付け、マイクロホン２６６を従順な空気ダクトの長さを超える位置に配置することができる。または、カバー２６１、ダイヤフラム２６２、音波コンセントレータ２６５、およびエアダクトで構成されたマイク２６２-A。マイク２６２-Aは、さまざまなサイズのホーンを使用して、さまざまな距離で、または口から遠く離れた場所でマイクを変更できる。空気ダクトの長さは口に接続されており、騒音低減と放射線防護の目的を達成している。
【００３５】
(３) モノサーキットバイノーラルオーバーヘッド型フルエアダクト安全イヤホンを説明する。 
【００３６】
プラグ２９０-１からの信号は、信号がコミュニケーターに接続されている金属シールド絶縁線２８７のオーディオ信号線からラージスピーカー２８４に接続され、ラージスピーカー２８４の他端は音波コンセントレータ２８４-１のラージエンドに接続され、音波集束装置２８４-１の小さい端は、複合空気ダクト２８３の大きい管２８８に接続され、大きい管２８８の他端は、三方２９０の長い端に接続され、ケーブルタイ３００で結ばれ、三方２９０の他端は、シールリング２９５に接続される。シーリングリング２９５の他端は右耳分岐空気ダクト２９４に接続され、右耳分岐空気ダクト２９４の他端はシーリングリング２９２に接続され、シーリングリング２９２の他端はエルボ２９１に接続され、エルボ２９１の他端は音響空洞２９１−１に接続される。エルボーの底面には取り付けプレート２７４-１があり、４つのネジ２９３で右耳シェル２７４に固定されており、エルボーを正確に位置決めするための位置決めピンが付いている。サウンドキャビティ２９１-１の出口には多孔性のカバープレートがある。
【００３７】
小さなパスチューブ３０２は、３ウェイ２９０の上に提供される。小さなパスチューブコンセントレータ３０２-１は、小さなパスチューブ３０２の一端に３ウェイ２９０を接続するために提供され、小さなパスチューブ３０２の他端は、小さなサウンドキャビティ３０１に接続される。音響空洞カバープレート３０１−１があり、音響空洞カバープレート３０１−１には、複数の貫通する小さな穴が設けられている。 
【００３８】
ボウフレーム２７３と右耳分岐エアダクト２７２が設定されたスイング角度で移動できるように、可動溝２７０が設けられた構造であり、シールリング２９５は、スイング軸上に設けられ、ボウフレーム２７３と右は、ゴムなどの柔軟な材料でできている。耳の空気ダクト２７２は柔軟であり、音波の伝達は妨げられない。
【００３９】
スモールパスパイプ３０２の内径は３パス２９０の内径よりもはるかに小さく、特定のサイズは右耳につながる分岐ダクトの減衰値によって計算および決定されるため、両側の耳の音量は同じになる。 
【００４０】
三方２９０の底部には取付板２９７があり、取付板２９７には小穴が開いているので、ネジ２９０-１で左耳ハウジング２７６の底面に取り付け、位置決めピンをセットして３つのリンクを左耳ハウジング２７６に正確に取り付ける下に。大型スピーカ２８４の放音口からの右耳用音響空洞のカバーと左耳用音響空洞のカバーの接合部はすべて密閉されている。音波は漏れず、大型スピーカ２８４からの音は左右の耳に送られる。
【００４１】
音量が小さすぎる場合、またはオーディオアンプ回路が大型スピーカーの前面にある場合、アンプ回路は大型スピーカーシェル２８６-Aに取り付けられ、アンプ回路のアンプ電力のサイズは必要に応じて選択される。
【００４２】
完全なノイズ低減変換システムがセットアップされる。ノイズが低減されたプライマリマイクがスピーカー２７８をアンプ２８２-Aにプッシュし、スピーカー２７８のサウンドアウトレットが音波コンセントレーター２７８-Bの大きな端に接続され、音波コンセントレーター２７８ -Bの小さい方の端は小さいエアダクト２７７-Aに接続されている。小さい方のエアダクト２７７-Aは、ノイズ低減ユニバーサルトランスミッションアーム２７７から左耳ハウジング２７６に通され、ハードコネクタ２７５に接続され、ハードコネクタ２７５の他端が挿入されている。複合空気ダクト２８３の小管２８９の端部には、複合空気ダクト２８３の小管２８９の他端が、絶縁板２８５を介して、小さなホースを介して、小さな音響波集線器２７１の小さな端部まで、湾曲した硬質管２７５-Ａに接続されている。音波集束器２７１の大端は、二次受信機２７５-Ｂの受信面に接続され、二次受信機２７５-Ｂの配線は、スイッチ２８６の制御により、金属遮蔽絶縁線２８７の受信線に接続される。電話システムがオフになっているので、相手はユーザーの音声を聞くことができる。その後、コネクタ２９０を介して通信機を接続し、コンバーターのバッテリーをコンバーターハウジング２７８-Aに取り付ける。コンバーターハウジング２７８-Aには、インジケータライト２８１は、電源がオフにされていることを示し、インジケータライト２８１の透光性本体は、コンバータのハウジング２７８に射出成形される。 ２７８-Aには、電源のオンとオフを制御するスイッチ２７９-Aがあり、スイッチ２７９-Aはゴム製パッドで密閉されている。防水充電ジャック２８２が提供され、バッテリーを充電する。スピーカー２７８とアンプ回路とプライマリマイク２８０の間プラグインアイソレーションボード２７８-Cとスロットボード２７８-Dを装備している。スロットボード２７８-Dは、柔軟な材料で配置されてシールされている。スピーカー２７８の配線は、アイソレーションボード２７８-Cを介して接着剤でシールされており、コンバーターハウジング２７８-Aが使用されるスクリュー２７７-Aは、ユニバーサルアーム２７７に固定されるか、射出成形によってユニバーサルアーム２７７に固定される。コンポジットエアダクトは、１つのチューブに２つの大小のチューブを備えている。外側に１つしかなく、実際には２つのチャネルがあり軽くてきれいである。
【００４３】
大型スピーカー２８４が二次受信機２７５-Ｂと干渉するのを防ぐように、大型スピーカー２８４を二次受信機２７５-Ｂから隔離するために、筐体２８６-Ａに分離板２８５が設けられる。
【００４４】
(４) 請求項２５の第３のポイントによるモノラル回路バイノーラルヘッドマウントオールエアダクト安全ヘッドセットノイズ低減マイクは、アクティブオーディオ信号をパッシブ信号に変換してアクティブオーディオに復元するように構成されている信号デバイスである。
【００４５】
この消音マイクの伝導形態は上記と異なり、その他の構成は上記請求項３の安全イヤホンの構成と同じです。
【００４６】
この項目は、エアダクトマイクに適用され、図３４に示すように、ユニバーサルトランスミッションアーム２７７−１の先端には、筐体２７８−Ｃが取り付けられ、筐体２７８−Ｃには、マイク２６２−１が搭載されている。音響管２６２−１は、カバー２６１、振動板２６２、音響波集束器２６３、および小さな空気ダクト２６４を含む。小さな空気ダクト２６４は、ノイズ低減ユニバーサル伝達アーム２７７−１から左耳ハウジング２７６−１に通じている。 、ハードコネクタ２７５-１に接続され、ハードコネクタ２７５-１の他端は複合空気ダクト２８３-１の小管２８９-１の一端に挿入され、複合空気ダクト２８３-１の小管２８９-１の他端は接続される。湾曲した硬質管２７５−Ｃは、絶縁板２８５−１を通り、小さなホースを通って、小さなマイクロフォン２７５−Ｄの小さなホーン２７１−１の小さな端に達し、小さなホーン２７１−１の大きな端は、小さなマイクロフォン２７５−に接続される。 Dの受信側、小さなマイク２７１-１のワイヤは、スイッチ２８６-１の制御を介して金属シールド絶縁ライン２８７-１の受信ラインに接続され、このスイッチは受信システムをオンまたはオフにできるため、相手は聞くことができる。または、ユーザーの音声が聞こえず、コミュニケーターをコネクター２９０-１を介して接続し、パッシブオーディオ信号を小さなマイクに直接送信して、変換せずにアクティブ信号を生成する。カバー２６１は、多数の小さな貫通穴を備えたハウジング２７８-Cの表面に載っている、または音波集信装置２６３を多数の小さな穴を備えたハウジング２７８-Cに直接取り付け、ダイアフラム２６２をクランプし、上記の接続周辺は密閉されており、回路はシンプルで、コストは低いです；
【００４７】
ハウジング２７８-Cには、大型スピーカー２８４-１を小型マイク２７５-Dから絶縁するための絶縁板２８５-１が備えられている。ワイヤーは絶縁板２８５-１を通過し、接着剤で封止されて、大型スピーカー２８４-１が小型マイク２７５-Dと干渉しないようにする。
【００４８】
小型マイクの出力信号電力が足りない場合は、小型マイクの出力端に音声増幅回路を設け、小型マイクの出力音声信号を増幅する。このアンプ回路は、大型スピーカーのアンプ回路と電源を共有するか、回路基板にまとめて設置する。ハウジングに電力を供給するバッテリーを取り付けるか、コミュニケーターから電源コードを導いて電力を供給する。
【００４９】
この構造の利点は、使用する電源が脳や耳から遠く離れていることであり、放射線を防ぐ効果を確実に発揮できること。
【００５０】
上記のようなノイズ低減モノラルノイズ低減ヘッドフォン
【００５１】
ノイズ低減航空ヘッドマウントノイズ低減ヘッドフォンは次のように構成されている。革のヘッドバンドは鋼製のヘッドボウで縫合され、ヘッドアーチと調整可能ブラケットはボルトで固定され、調整可能ブラケットと固定ブラケットはセルフロックナットで固定され、固定ブラケットロックカラムは左耳シェルに接続されており、右耳シェルと左耳シェルは対称的に接続および固定されている。
【００５２】
マイクロホンチューブシェルにはノイズリダクションマイクロホンチューブが取り付けられており、マイクロホンチューブシェルはスパイシーホイール構造とユニバーサルホースに接続され、左右のサウンドチャンバーはイヤシェルに配置されている。ブラケットは、右耳シェルの音響空洞に接続されているか、スピーカーシェルから右耳空洞、右音響空洞に対角線上に接続されているか、または左右の音響空洞のそれぞれに送風ダクトが接続されている。
【００５３】
ノイズ低減変換システムとその他の構造および接続方法は、ポイント４で説明したバイノーラル型ヘッドマウント型全空気ダクトノイズキャンセリングヘッドフォンに適用される空気伝導マイクと同じである。
【００５４】
１つの耳または２つの耳は、それぞれ周波数応答が異なる３つのスピーカー、周波数応答が異なる３つの音波チャネル、チャネルに接続されたサウンドキャビティ、およびサウンドチャネルチャネルワイヤーで構成される。いずれも音響波集束器の大端に構成されている。それぞれの音響波集束器はそれぞれ送風管の一端に構成されている。スピーカーに応じて、上記の構造に基づいて、各耳にスピーカー、エアダクト、リスニングキャビティのセットが追加され、構造と接続方法は以前と同じです。
【００５５】
安全な高音質ヘッドフォンの両耳には、超高音質のノイズリダクションヘッドフォンが２組搭載されている。 
【００５６】
ノイズキャンセリングヘッドフォンは片耳または両耳に設定され、周波数応答の異なる複数のスピーカーがノイズキャンセリング高品質ノイズキャンセリングヘッドフォンとして構成される。
【００５７】
上記のノイズキャンセリングヘッドフォン 
【００５８】
周波数分配回路を備えた高音質ノイズ低減ヘッドフォン
【００５９】
ハイとローのスピーカーを搭載した最初の回路である。
【００６０】
上記の請求項に記載された高・低周波スピーカーのノイズリダクションヘッドフォンは、２つのスピーカーのオーディオ信号入力端子経路にそれぞれ送られる分周回路を備え、２.２μFの容量を持つ高周波スピーカー３０５にコンデンサC１が追加されている。
【００６１】
インダクタンスL１は低音スピーカー３０６のオーディオ信号入力端子のループから直列に接続され、インダクタンスは０.５７mHである。
【００６２】
高音と低音のクロスオーバーポイントは４５００HZとして選択されている。
【００６３】
２）ハイスピーカーとロースピーカーを装備した２番目の回路である。 
【００６４】
コンデンサーC１を１.１μFの容量と１.３１mHのインダクタンスをツイーター３０７の入力端子と並列に接続し、インダクターL２をコンデンサーC２と１.１μFの容量と並列にウーファー３０８の入力に接続する。
【００６５】
３）３つの高周波数および低低音スピーカーを備えた３ウェイ周波数構成の３番目の回路の場合
【００６６】
容量１μFのコンデンサC１は一方向ツイーター３０９の入力に接続され、インダクタンスL１は容量１.０２mHと並列に接続され、容量１１.０６μFのコンデンサC２は中間スピーカー３１０の入力の前に配置される１.０２mHの容量でインダクタを背面に接続する。１１.３２mHの容量のインダクタL２を１１.０６μFの静電容量C２と１.０２mHのインダクタL３の間にあるスピーカーの他端に接続する。スピーカーの両端に並列にコンデンサC３を接続し、スリーウェイウーファー３１１の入力端は、１１.３２mHの容量を持つインダクタL４と１１.０６μFの容量を持つコンデンサC４と並列に接続されている。
【００６７】
クロスオーバー周波数低音は４５０HZ、高周波数は５０００HZである。
【００６８】
上記の静電容量とインダクタンスの値は理論的に計算されており、各スピーカーの端子のエアダクトからサウンドキャビティへの周波数応答曲線を接続ポイントでテストし、コンデンサの容量または調整を周波数応答のテスト結果に応じて適切に調整する必要があるインダクターの容量は、周波数分割に達した後の周波数応答まで、正しい良好な結果に達する。
【００６９】
このようにして、各スピーカーは異なる周波数のサウンドを再生でき、入力オーディオ信号は各スピーカーから完全に送信され、良好な周波数応答を実現できる。スピーカーと歪みの間に位相エラーはありません。図中の「+-」は相接続を示す。
【００７０】
エアダクトのすべての端と音波コンセントレータまたはサウンドキャビティは、中空のリベットまたは接着剤または他の方法で密閉および固定される。これには、エアダクトがまっすぐであるか、スパイラル形状の一部または全体のスパイラル形状に巻かれているか、または中央セクションがスパイラル端である真っ直ぐ、または送風管を曲がり、曲がりの形状を耳に当てることができ、曲がりの端には、空洞のある耳栓が付いている。
【００７１】
ワイヤーパーツをまっすぐにするか、すべてらせん状にするか、１つのセクションをらせん状に巻くか、１つのセクションをまっすぐにするか、または１つのセクションをらせん状に巻くか、両端をまっすぐにするか、耳にエルボーブラケットを使用し、イヤープラグを使用して挿入耳を傾けてください。
【００７２】
発音の音の空洞の側面または背面に応じて、適切な位置を選択して、空気対流用の微小穴を開く。微小穴のサイズは、発音のサイズに関連している。
【００７３】
上記のノイズキャンセリングヘッドフォン
【００７４】
耳栓ヘッドと送風ダクトとの接続箇所には送風ダクト可動コネクタが設けられており、その構造は以下の通りです：
【００７５】
(１) 接続ヘッドの左右に２つの逆ボタンがあり、内径の一端は接続スリーブの中空コアリベットでリベット留めされた金属スリーブの送風ダクトで覆われ、送風ダクトのもう一方の端にも接続ヘッドが配置されている。スピーカーシェルの音波コンセントレーターに移動可能に接続でき、送風ダクトの両端の可動コネクターは対称的で、両端を交換できる； 
【００７６】
このようにして、耳栓ヘッド構造の接続チューブは、大、中、小の１つ、または１つのインイヤータイプ、１つの吊り下げタイプ、または異なるスタイルの耳栓ヘッドなど、いくつかのスタイルの耳栓ヘッドにすることができる。色は交換可能で、ユーザーは好みに応じてさまざまな色のエアダクトに合わせることができる。ダブルチューブにもイヤープラグチューブに２つの穴があり、２つの可動ヘッドを持つ２つのエアダクトがある場合は、スピーカーシェルも適している。接続応答用の接続穴を装備する。
【００７７】
(２) ねじ込みエアダクト可動ヘッドAA、一端をおねじに設定、内孔の内径をエアダクトの内径、可動ヘッドAAの内端をエアダクトの外径に設定、接着剤でこの孔にエアダクトを挿入しっかりと接着、可動ヘッドAAの外径は耳栓ヘッドと送風ダクトの外径と同じで、可動ヘッドAAの外ネジと組み合わせて使用すると、耳栓ヘッドの接続部の内穴加工ねじ穴を緩めて入れ替えることができる。ヘッドの種類が増え、エアダクトの種類も増えました。エアダクトの他端は別の可動ヘッドBBに繋がっている。可動ヘッドBBの構造は可動ヘッドAAと同じである。可動ヘッドの内径には空気が入っているダクトは接着剤で固定されており、ネジ山はスピーカーシェルのネジ穴と一致しており、交換可能である。可動ヘッドAAと耳栓ヘッドチューブまたは別の装飾リングとの接続、可動ヘッドBBとスピーカーまたは装飾リング、可動ヘッドとの接続AAのスレッドと可動ヘッドBBは同じで、耳栓ヘッドのネジ穴とスピーカーのネジ穴と交換できる。
【００７８】
２つの空気ダクトに適用されるイヤホンがスピーカーシェルにある場合、それに応じていくつかのネジ穴が提供され、さまざまな可動ヘッドまたは空気ダクトを交換および交換するために、イヤープラグヘッドにもいくつかのネジ穴が提供される。選択性とマルチパターンを改善するために、ユーザーが交換できるさまざまな構造と色のイヤープラグヘッドまたはエアダクトをいくつか装備できる。
【００７９】
上記のノイズキャンセリングヘッドフォン
【００８０】
本発明の有利な効果は以下の通りである：エアダクトマイクロフォンは、音声信号を音波信号に変換する音波コンセントレータおよびエアダクトを備え、パッシブ送信信号は、エアダクトを介して伝播され、その後、マイクロフォンおよび他のデバイスを介して電気信号に変換され、マイクロフォンの音が受信される。先端を利用者の口にセットし、マイクなどの機器を利用者から遠ざけることができ、ノイズ低減や放射線防護の役割を果たす。
【図面の簡単な説明】
【００８１】
本発明の実施形態または従来技術の技術的解決策をより明確に説明するために、以下では、実施形態または従来技術の説明に必要な図面を簡単に紹介する。以下の説明の図面は、これらは本発明のいくつかの実施形態であり、当業者にとって、創造的な労力を払うことなく、これらの図面に基づいて他の図面を取得することは、依然として本発明の範囲に属する。  
【００８２】
【図１】図１は本発明の右側の概略図であり、２つのスピーカーが垂直に配置され、集中された音波集中ポートを有する；
【００８３】
【図２】図２は、本発明の２つのスピーカーが垂直に配置された安全ヘッドセットと、集中音波集中ポートの概略正面図である；
【００８４】
【図３】図３は、対称的な音波集中ポートおよび安全なイヤホンを備えた、正方形または斜めに配置された、本発明のスピーカーの右側面図の概略図である；
【００８５】
【図４】図４は、本発明のスピーカであり、正方形または斜めに配置され、対称的な音波集中ポートおよび安全なイヤホンを備えたサウンドヘッドホンである。
【００８６】
メインビューの概略図；  
【００８７】
【図５】図５は、本発明の１つのスピーカ、１つの音波チャネル、および対称音波集束ポートを有する密封された小さな箱の概略図である；
【００８８】
【図６】図６は本発明の矩形音波集束口のＡ-Ａ断面図である；
【００８９】
【図７】図７は本発明の音波集中ポートの楕円形のＡ-Ａ断面図である；
【００９０】
【図８】図８は是本発明の音波集中ポートのＡ-Ａ断面図である；
【００９１】
【図９】図９は本発明のマイクロホン設備の概略図である；
【００９２】
【図１０】図１０は本発明のマイクロホン設備の略図である；
【００９３】
【図１１】図１１は、本発明のマイクロホン設備の概略断面図である；
【００９４】
【図１２】図１２は、リベット締結方法の概略図である；
【００９５】
【図１３】図１３はジャケットの締結方法の模式図である；
【００９６】
【図１４】図１４は本発明の１つのイヤプラグ、１つのマイクロスピーカ、および１つのマイクロホンがすべて１つのハウジング内にあり、スイッチがハウジング内にある安全なイヤホンの概略正面図である；
【００９７】
【図１５】図１５は、イヤープラグ、ケーシング内のミニチュアスピーカー、マイクロフォンとスイッチが小さいケーシングにあり、小さいケーシングのコンセントの他端が金属シールド絶縁ラインに接続されている場合の発明を示している。安全なヘッドセットの正面図である。
【００９８】
【図１６】図１６は、２つのケーシングに２つのイヤプラグと２つのミニチュアスピーカーがあり、マイクロフォンとスイッチが小さなケーシングに配置され、小さなケーシングの他端が金属シールドから分離されている場合の本発明を示している。オフラインで接続された安全なヘッドセットの正面図；
【００９９】
【図１７】図１７はイヤプラグ、前部音響空洞の１つにあるマイクロスピーカ、マイクロフォン、および小さなハウジング内のスイッチを備えた安全なイヤホンの本発明の正面図である；
【０１００】
【図１８】図１８は２つのイヤプラグ、２つの前部音響室に２つのマイクロスピーカ、小さなハウジングにマイクロフォンおよびスイッチを有する本発明の安全なイヤホンの概略正面図である：
【０１０１】
【図１９】図１９はエアダクトを備えたヘッドマウント型バイノーラルワイヤ制御イヤホンの概略図である；
【０１０２】
【図２０】図２０は、図１９に基づいてスピーカー１０５およびスピーカー１１１を追加し、対応する空気ダクトおよび音室を追加する概略図である；
【０１０３】
【図２１】図２１は、デュアルトーンキャビティイヤピースの空気ダクトと音波コンセントレータとの間の密封された接続の概略断面図である；
【０１０４】
【図２２】図２２はデュアルトーンイヤピースの概略断面図である；
【０１０５】
【図２３】図２３は放射を防止するために金属遮蔽分離線を使用する頭部装着型放射防止イヤホンの概略側面図である；
【０１０６】
【図２４】図２４放射線保護のために金属シールドされた絶縁線を採用する頭部装着型放射線防止イヤホンの概略図である；
【０１０７】
【図２５】図２５は、異なる周波数応答を有する２つのスピーカを使用して、空気ダクトを通って耳まで音空洞に分配されるワイヤ制御イヤホンの概略図である。
【０１０８】
【図２６】図２６は２つの異なる周波数応答スピーカーを使用して、耳を聞くために空気ダクトから音響空洞まで通過するワイヤー制御イヤホンの概略図である；
【０１０９】
【図２７】図２７は、片方の耳が聞くために２つの空気ダクトから２つの音室への２つの異なる周波数応答スピーカーを使用するワイヤー制御イヤホンの概略図である；
【０１１０】
【図２７−１】図２７-１は、ハウジングから通じている二重管空気ダクトの構造図である；
【０１１１】
【図２７−２】図２７-２は、２つの管が一体化された麺型の空気ダクトの概略図である；
【０１１２】
【図２８】図２８は２つの異なる周波数応答を有する２組のスピーカー、２つの空気ダクト、および２つの耳用の音響室を備えたバイノーラルワイヤ制御イヤホンの概略図である。
【０１１３】
【図２９】図２９は、ノイズ低減ヘッドマウント安全イヤホンの概略側面構造図である；
【０１１４】
【図３０】図３０は、ノイズ低減ヘッド搭載安全ヘッドセットの正面図の概略図である；
【０１１５】
【図３１】図３１は、ノイズ低減ヘッドマウント安全イヤホンの構造の概略上面図である；
【０１１６】
【図３２】図３２は、一次マイクの音声電気信号を増幅して音声に変換する音声変換器の電気回路図であり、充電と電源の主要回路を備えている。回路は、マイクのエアダクトの長さに応じて、異なるチップと異なる回路を選択できる。
【０１１７】
【図３２−１】図３２-１は、比較的大きな増幅電力を有するオーディオ信号を示す拡大図である；
【０１１８】
【図３３】図３３は、スピーカー、マイクロホン空気ダクトおよび主マイクロホンの間の、ノイズ低減ヘッドフォン安全イヤホン左および右耳音波チャネルの構造の概略図である；
【０１１９】
【図３３−１】図３３-１は、３つの空気ダクトの配置の概略図である；
【０１２０】
【図３３−２】図３３-２は、スピーカーの音響チャネルと音響空洞との間の接続の概略図である；
【０１２１】
【図３３−３】図３３-３は、別の発音空洞の概略図である；
【０１２２】
【図３３−４】図３３-４は、３つの空気ダクトの三角形の配置の概略図である；
【０１２３】
【図３４】図３４はエアダクトマイクの構成を示す略線図である；
【０１２４】
【図３５】図３５は空気ダクトマイクロホンのカバーの図である；
【０１２５】
【図３６】図３６は鋼アーチと右耳分岐エアダクトパッケージの断面構造図である；
【０１２６】
【図３７】図３７は可動三角形溝内の弓フレームを見るのに展開される弓フレームの概略図である；
【０１２７】
【図３８】図３８は図３０Ｈ１−Ｈ１の断面構造図であり、右耳エアダクトと肘の間の接続の概略図を示している；
【０１２８】
【図３９】図３９は切断されていない状態と見なされた図３８のＪ-Ｊ断面図であり、右分岐空気ダクトおよびシールリングエルボの接続および設置の概略図を示す；
【０１２９】
【図４０】図４０は複合空気ダクトの断面図である；
【０１３０】
【図４１】図４１は左耳ティーの接続図、コンバーターの構造、２つの接続図、大型スピーカーの入力とセカンダリレシーバーの出力です；
【０１３１】
【図４２】図４２はモノヘッドセットにおける空気ダクトマイクロホンの設置および接続の略図である；
【０１３２】
【図４３】図４３は、左耳シェルへの三方２９０の設置、複合管の接続および右耳分岐管の接続の概略図である；
【０１３３】
【図４４】図４４は三方２９０と左耳音響空洞のチャネルとの接続の略図である；
【０１３４】
【図４５】図４５はコンバータ出力スピーカとコンバータの設置図である；
【０１３５】
【図４６】図４６は図４５のＡ２−Ａ２の概略断面図である；
【０１３６】
【図４７】図４７は、ノイズ低減ヘッドマウントモノイヤーセーフイヤホンの構造の概略側面図である；
【０１３７】
【図４８】図４８はノイズを低減する頭部装着型モノイヤーセーフイヤホンの正面図の概略図である；
【０１３８】
【図４９】図４９は、アンチノイズフックイヤーモノイヤーセーフイヤホンの構造の概略図である；
【０１３９】
【図５０】図５０はポータブル安全イヤホンの全断面構造の概略図である；
【０１４０】
【図５１】図５１は携帯用安全イヤホンとキースイッチのロングスイッチの外観の模式図である；
【０１４１】
【図５２】図５２は携帯用安全イヤホンの形状およびスイッチ構造の概略図である；
【０１４２】
【図５３】図５３はマイクロフォン信号の能動的受動変換を備えた携帯用安全イヤホンの構造および経路を示す略図である；
【０１４３】
【図５３−１】図５３-１は、スイッチボタンから離れたマイクロスイッチのスイッチ構造の概略図である；
【０１４４】
【図５４】図５４は騒音低減航空ヘッドセット安全ヘッドセットの側面の概略構造図である；
【０１４５】
【図５５】図５５は騒音低減航空ヘッドセット安全ヘッドセットの正面構造の概略図である；
【０１４６】
【図５６】図５６は高周波数および低周波数分割を有する２つのスピーカーの概略回路図である；
【０１４７】
【図５７】図５７は別の方法における２つのスピーカーの２つのスピーカーのクロスオーバーの回路概略図である；
【０１４８】
【図５８】図５８は３つのスピーカの周波数分割の回路概略図である；
【０１４９】
【図５９】図５９は、送風ダクトまたはワイヤを屈曲させて耳に掛けた構造の概略正面図である；
【０１５０】
【図６０】図６０は耳栓の概略側面図であり、エアダクトまたはワイヤーで耳を曲げている；
【０１５１】
【図６１】図６１は、中空コアリベットによって接続された空気ダクトおよび音波コンセントレータの略図である；
【０１５２】
【図６２】図６２はリバースボタンによって移動可能に接続された空気ダクトの概略図である；
【０１５３】
【図６３】図６３は、逆転ボタンのＭ方向図である；
【０１５４】
【図６４】図６４は可動ヘッドに接続された耳栓ヘッドの構造の略図である；
【０１５５】
【図６５】図６５はねじ付き可動ヘッド接続ヘッド構造と送風ダクトの接続図である；
【０１５６】
【図６６】図６６は、ねじ付き可動接続の２つの端部の構造図である；
【０１５７】
【図６７】図６７は、組立後のネジ付き可動コネクタおよび耳栓ヘッドチューブの外観の概略図である。   （詳細な実装）
【０１５８】
本発明の目的、技術的解決法、および利点をより明確にするために、本発明は、添付の図面を参照して以下でさらに詳細に説明される。  
【０１５９】
「上」、「下」、「前」、「後」、「左」、「右」、「内」、「外」、「上」、「下」など、本発明で言及される方向および位置の用語「、」、「側面」などは、図面の方向または位置のみを参照している。したがって、方向および位置の用語は、本発明の保護範囲を限定するためではなく、本発明を説明および理解するために使用される。  
【０１６０】
実施例１  
【０１６１】
ノイズリダクションイヤホン,  
【０１６２】
耳栓ヘッド１を含み、音キャビティ本体２が耳栓ヘッド１の内側に形成され、音キャビティ本体２の第１の端部は音出口を有する；  
【０１６３】
本体４には、本体４の内部に音響波集束キャビティ１０が設けられており、音響波集束キャビティ１０にはチャネルポートが開口しており、チャネルポートと音響キャビティ本体２の他端とが音響波伝送路３を貫通している；  
【０１６４】
マイクロスピーカ５、音波集中キャビティ１０は、マイクロスピーカ５と音波伝送チャネル３との間に設けられる；  
【０１６５】
マイクロスピーカ５は、本体４の外側に位置するワイヤ８の第１の端部に接続され、ワイヤ８の第２の端部は、プラグ９に接続される；  
【０１６６】
アクティブオーディオ信号をパッシブ伝送信号に変換してからアクティブ信号伝送に戻るように設定されたノイズ低減変換伝送システムのマイクまたはエアダクトマイクロフォン、つまりリモートノイズ低減マイク。  
【０１６７】
実施例２ 
【０１６８】
上記のノイズキャンセリングヘッドフォン  
【０１６９】
この実施例では、左耳のイヤホン１９５、左耳のケース１９５-１、右耳のイヤホン１９４、右耳のケース１９４-１、ヘッドバンド１８５、スイッチ、およびスイッチケースで構成された、ノイズを低減するヘッドマウント型のノイズ低減ヘッドホンを使用している。 １９１.ノイズ低減伝送アーム１９８、ノイズ低減コンバータ１９６、ハウジング１９５-１、スピーカーハウジング１９０、プラグ１９３;ノイズ低減変換システムが提供される：ノイズ低減プライマリマイク、アクティブオーディオ信号がパッシブオーディオ信号に変換される。送信では、プライマリマイクリードがセカンダリオーディオアンプ回路に接続され（図３２）、スピーカーを駆動する。回路の増幅パワーとステージ数とパフォーマンスは、選択されたマイクエアダクトの長さと直径に応じて選択される。スピーカー２０７と２０８の発音音波コンセントレータ２０５、２０６の大端は口に接続され、音波コンセントレータ２０５、２０６の小端はリベットでマイク送風ダクト１８９-１の一端に接続され、マイク送風ダクト１８９-１およびトランペットサウンドキャビティの他端は接続されている。アンプ２０３の小さい方の端が接続され、ホーン口の空洞２０３の大きい方の端が２次マイク（つまりマイク）２０４の受信面に接続され、スピーカーのサウンドポートから２次マイク（つまりマイク）に送風ダクトを介して接続される。受信側の接続はシールされている。２二次マイクロフォン（つまり、マイクロフォン）の他端は金属シールド絶縁ライン１９３の一端に接続され、金属シールド絶縁ライン１９２の他端はプラグ１９３の一端に接続され、プラグ１９３の他端は通信機のソケットに接続される。  
【０１７０】
変換システムのアクティブな部分には、電子回路基板と、バッテリー供給回路とデバイス用の電源、バッテリーに接続された充電回路と充電ソケット、電源インジケータ発光管、電源スイッチがあり、上記の変換システムがアクティブです。オーディオ信号のコンポーネントはすべてコンバーターハウジングに取り付けられ、変換システムのスピーカーは、メインマイクから一定の距離を置いてマイクの中央に、または左耳ハウジングのサウンドキャビティの外側に取り付けられる（図３２）。  
【０１７１】
マイクはパッシブ伝送へのアクティブ変換を採用し、その後アクティブ伝送に復元する。送風管は非常に長く設定でき、マイクはサウンドポートの近くにあり、ノイズ低減の効果を達成すると同時に、耳と脳の損傷に対する非常に高い保護を実現する。
【０１７２】
左耳用エアダクト１８７-１の一端は音響空洞２０９-１の入口に接続され、他端は音波集束器２０５の小端に接続され、音波集束器２０５の大端はスピーカー２０７に接続され、スピーカー２０７の他端は金属シールド線１９３に接続されている。右耳用エアダクト１８８-１は、左耳ハウジング１９５-１およびスピーカーハウジング１９０に平行で右耳に接続された左耳用エアダクト１８７-１を介して、金属製ボウ１８６の外側または内側に沿った他端で右耳音響室の入口に接続されている音波集束器２０６の小端、右耳音波集束器２０６の他端は右耳スピーカー２０８に接続され、右耳スピーカー２０８の他端は金属シールド線１９３に接続され、スイッチ１９１を介して他の金属シールド線１９２の一端に接続される。金属シールド線１９２の他端はプラグ１９３に接続されている。  
【０１７３】
３つのエアダクトは平行に接着され、外側が柔軟な素材で覆われている。  
【０１７４】
実施例３ 
【０１７５】
この実施例では、図３４に示すように、長距離ノイズ低減エアダクトマイクを使用している。  
【０１７６】
振動膜２６２は、音響波集中器２６３の大端に設置される。振動膜２６２の外面にはカバー２６１が追加され、カバー２６１に複数の貫通孔が設けられて振動膜２６２を音響波集束器２６３の大端に固定する。音波コンセントレータ２６３の小さい方の端は、空気ダクト２６４の一方の端に接続され、空気用ダクトのもう一方の端は、ベルマウス２６５（すなわち、音響増幅器）の小さい方の端に接続され、ベルマウス２６５の大きい方の端は、マイクロフォンに接続され、マイクロフォン２６６の受け面のカバー２６１の周辺までのすべての接合部が密封されている。  
【０１７７】
小型マイクのワイヤー２６７はアンプ２６８に接続され、アンプの出力端は金属シールドされた絶縁ワイヤーに接続され、コネクターを介してコミュニケーターに接続される。  
【０１７８】
空気ダクトの長さ２６４は３００ mmに設定され、穴は３ mmです。従前のマイクの小さなマイク２６６の代わりに、安全ヘッドフォンのすべてのマイクをベルマウス２６５に取り付けることができる。  
【０１７９】
実施例４  
【０１８０】
本実施形態では、カバー２６１、振動板２６２、音波集束器２６５、送風管からなる音響管を用いており、口径の異なるマイクロホンをホーンの大きさを変えて接続することにより、騒音を低減することができる。放射線防護の目的と効果、残りの設置構造は実施例３と同じである。  
【０１８１】
実施例５  
【０１８２】
この実施例では、モノチャネルバイノーラルヘッドマウント型全空気ダクトノイズキャンセリングヘッドセットが使用されている。   
【０１８３】
プラグ２９０からの信号は、コミュニケーターに接続された金属シールド絶縁線２８９の音声信号線の通信信号線から大型スピーカー２８４に接続され、大型スピーカー２８４の他端は音波集線器２８４-１の大型端に接続され、音波が集中する。装置２８４−１の小さい方の端は、複合空気ダクト２８３の大きい方のチューブ２８８に接続されている。大きい方のチューブ２８８のもう一方の端は、三方２９０の長い方の端に接続され、ケーブルタイ３００で固定されている。三方２９０のもう一方の端は、シーリングリング２９５、シーリングリングに接続されている。 ２９５の他端は右耳分岐空気ダクト２９４に接続され、右耳分岐空気ダクト２９４の他端は密封リング２９２に接続され、密封リング２９２の他端はエルボ２９１に接続され、そしてエルボ２９１の他端は音響空洞２９１−１に接続され、曲がっている。ヘッドの底面には取り付けプレート２７４-１があり、４つのネジ２９３で右耳シェル２７４に固定されており、エルボーを正確に位置決めするための位置決めピンが付いている。また、サウンドキャビティの出口に多孔性のカバープレートがある。  
【０１８４】
三方２９０の上方には、細管３０２が設けられている。細管３０２の一端には、三方２９０を接続するための微小音波集中ポート３０２−１が設けられ、細管３０２の他端は、微小音響空洞３０１に接続されている。音響空洞カバープレート３０１−１があり、音響空洞カバープレート３０１−１には、複数の貫通する小さな穴が設けられている。  
【０１８５】
ボウフレーム２７３と右耳分岐エアダクト２７２が設定されたスイング角度で移動できるように、可動溝２７０が設けられた構造であり、シールリング２９５は、スイング軸上に設けられ、ボウフレーム２７３と右は、ゴムなどの柔軟な材料でできている。耳の空気ダクト２７２は柔軟であり、音波の伝達は妨げられない；  
【０１８６】
スモールパスパイプ３０２の内径は３パス２９０の内径よりもはるかに小さく、特定のサイズは右耳につながる分岐ダクトの減衰値によって計算および決定されるため、両側の耳の音量は同じになる。  
【０１８７】
三方２９０の底部には取付板２９７があり、取付板２９７には小穴が開いているので、ネジ２９０-１で左耳ハウジング２７６の底面に取り付け、位置決めピンをセットして３つのリンクを左耳ハウジング２７６の下に正確に取り付ける。大型スピーカ２８４の放音口からの右耳用音響空洞のカバーと左耳用音響空洞のカバーの接合部はすべて密閉されている。音波は漏れず、大型スピーカ２８４からの音は左右の耳に送られる。  
【０１８８】
ボリュームが小さすぎる場合、またはオーディオアンプ回路が大型スピーカーの前面にある場合、アンプ回路は大型スピーカーシェル２８６-Aに設置され、アンプ回路の増幅電力は必要に応じて選択できる。  
【０１８９】
完全なノイズ低減変換システムがセットアップされる。ノイズが低減されたプライマリマイクがスピーカー２７８をアンプ２８２-Aにプッシュし、スピーカー２７８のサウンドアウトレットが音波コンセントレーター２７８-Bの大きな端に接続され、音波コンセントレーター２７８ -Bの小さい方の端は小さいエアダクト２７７-Aに接続されている。小さい方のエアダクト２７７-Aは、ノイズ低減ユニバーサルトランスミッションアーム２７７から左耳ハウジング２７６に通され、ハードコネクタ２７５に接続され、ハードコネクタ２７５の他端が挿入されている。複合空気ダクト２８３の小管２８９の端部には、複合空気ダクト２８３の小管２８９の他端が、絶縁板２８５を介して湾曲した硬質管２７５-Ａに接続され、小ホースを介して二次受信機音響濃縮器２７５の小端に接続される。音波集信装置２７５（すなわち、音声増幅器）の大きな端は、二次受信機２７５-Ｂの受信表面に接続され、二次受信機２７５-Ｂのワイヤは、スイッチ２８６の制御を介して金属遮蔽絶縁線２８７の受信線に接続される。このスイッチは受信システムを開閉して、相手がユーザーの音声を聞いたり聞いたりできるようにしてから、コネクタ２９０を介してコミュニケーターを接続する。コンバーターのバッテリーは、コンバーターハウジング２７８-Aにインストールされ、コンバーターハウジングインジケータライト２８１は、電源がオフにされたことを示すために２７８-Aに設けられている。コンバーターに成形されたスイッチハウジング２７８-Aには、電源のオンとオフを制御するスイッチ２７９-Aが装備されている。スイッチ２７９-Aはゴム製パッドで密閉され、バッテリー、スピーカー２７８およびアンプ回路を充電するための防水充電ジャック２８２が備えられている。３つのマイクロフォン２８０の間のスロットプレート２７８-Dに差し込まれたプラグイン絶縁プレート２７８-Cがある。スロットプレート２７８-Dは柔軟な材料で配置されて密閉され、スピーカー２７８の配線は絶縁プレート２７８-Cを通過して接着剤で密閉される。コンバーターハウジング２７８-Aは、ネジ２７７-Aでユニバーサルアーム２７７に、または射出成形固定シートでユニバーサルアーム２７７に固定されている。複合エアダクトは、１つのチューブに２つの大小のチューブがあり、外観は１つだけです。美しいチャンネルと軽いチャンネルの２つがある。  
【０１９０】
大型スピーカー２８４が二次受信機２７５-Ｂと干渉しないように、大型スピーカー２８４を二次受信機２７５-Ｂから隔離するために、筐体２８６-Ａに分離板が設けられる。  
【０１９１】
実施例６  
【０１９２】
実施例５で説明するモノ回路両耳ヘッドマウント全風路消音ヘッドセット消音マイクの構成は、アクティブオーディオ信号をパッシブ信号に変換し、アクティブオーディオ信号に戻す装置である。  
【０１９３】
本実施実施例の消音マイクは、伝導モードが実施実施例５と異なり、その他の構成は実施実施例５の消音イヤホンと同じである。  
【０１９４】
この実施例では、エアダクトマイクを適用したものであり、図３５に示すように、ユニバーサルトランスミッションアーム２７７−１の先端には筐体２７８−Ｃが設けられており、筐体２７８−Ｃにはマイク２６２−１が備えられている。音響管２６２−１は、カバー２６１、振動板２６２、音響波集束器２６３、および小さな空気ダクト２６４を含む。小さな空気ダクト２６４は、ノイズ低減ユニバーサル伝達アーム２７７−１から左耳ハウジング２７６−１に通じている。 、ハードコネクタ２７５-１に接続され、ハードコネクタ２７５-１の他端は複合空気ダクト２８３-１の小管２８９-１の一端に挿入され、複合空気ダクト２８３-１の小管２８９-１の他端は接続される。湾曲した硬質管２７５−Ｃは、絶縁板２８５−１を通り、小さなホースを通って、小さなマイクロホン２７５−Ｄの小さなホーン２７１−１（すなわち、音響増幅器）の小さな端、および小さなホーン２７１−１の大きな端に至る。小型マイク２７５-Ｄの先端は小型マイク２７５-Ｄの受信面に接続され、小型マイク２７１-１の配線は、スイッチ２８６-１の制御により、金属遮蔽絶縁線２８７-１の受信線に接続される。オンにして、相手がユーザーのスピーチを聞いたり聞いたりできるようにしてから、コネクタ２９０-１を介して通信マシンを接続し、パッシブオーディオ信号がアクティブな信号を小さなマイクに直接生成するようにする。変換され、複数の小孔を介してハウジング開口２７８-Cの表面に対してキャップ２６１であると、各回路の接続における比較的単純なコスト周辺シールも低くされている。  
【０１９５】
ハウジング２７８-Cには、大型スピーカー２８４-１を小型マイク２７５-Dから絶縁するための絶縁板２８５-１が備えられている。ワイヤーは絶縁板２８５-１を通過し、接着剤で封止されて、大型スピーカー２８４-１が小型マイク２７５-Dと干渉しないようにする。  
【０１９６】
小型マイクの出力信号の電力が足りない場合は、小型マイクの出力に音声増幅回路を設け、小型マイクの出力音声信号を増幅するため、大型スピーカーのアンプ回路と電源を共有している利点があり、この構造を採用しているのが電源です脳や耳から遠く離れており、放射線を防ぐ効果は絶対に得られる。  
【０１９７】
実施例７ 
【０１９８】
上記のノイズキャンセリングヘッドフォン  
【０１９９】
この実施例では、左と右の２つのイヤースピーカー、左と右の耳の音波コンセントレーター、およびセカンダリマイク（マイク）がスイッチハウジングに設定されており、接続方法は実施例２のように変更されていません。３つの空気ダクトの三角形が１つのボディに統合され、柔軟な素材で包まれている。 ;その他のインストール構造は、実施例２と同じです。  
【０２００】
実施例８  
【０２０１】
上記のノイズキャンセリングヘッドフォン  
【０２０２】
この実施例では、ノイズ低減航空ヘッドマウントノイズ低減ヘッドフォンが使用されている。その構造は次のとおりです。レザーヘッドバンド縫合鋼ヘッド弓２４７、ヘッド弓２４７および調整可能ブラケット２５１はボルトで固定され、調整可能ブラケット２５１および固定ブラケット２５２は自動ロック式です。キャップは固定接続され、固定ブラケット２５２はロックカラムを介して左耳シェル２５３に接続され、右耳シェル２５０と左耳シェル２５３は対称と同じ方法で接続され固定される；  
【０２０３】
騒音低減マイク２５４-１はマイクシェル２５４に設置され、マイクシェル２５４は風向変更スパイシーホイール構造を介してユニバーサルホース２５５に接続され、左右の音室はイヤーシェルに設けられ、右の音室のエアダクト２５８は通過左耳シェルはスチール製の弓２４７ブラケットに続き、右耳シェルの音響空洞に接続する。    
【０２０４】
実施例９  
【０２０５】
上記のノイズキャンセリングヘッドフォン 
【０２０６】
各耳には、周波数応答が異なる３つのスピーカー、周波数応答が異なる３つの音波チャネル、チャネルに接続された音声キャビティ、および音声チャネルチャネルワイヤーが備わっている。対応する構造は、請求項２４に記載されている。１７６およびムービングコイルスピーカー１６９、１７８は、それぞれ、音響波コンセントレータ１６５、１７５および１６８、１７７の大端に構成され、それぞれの音響波コンセントレータ１６５、１７５および１６８、１７７は、それぞれ、空気ダクト１６３、１６４および１６４を備えている。 １７３および１７４の一方の一端、空気ダクト１６３、１６４および１７３、１７４の他端は、耳が聞くために音室１６０、１６１および１７０、１７１内の耳栓１６２および１７２にそれぞれ接続される。スピーカーの場合、請求項２４（図２８）に基づいて、各耳はスピーカー、送風管、およびリスニングキャビティのセットを追加し、その構造と接続は請求項２４と同じです。  
【０２０７】
実施例１０  
【０２０８】
上記のノイズキャンセリングヘッドフォン,  
【０２０９】
ノイズ低減およびノイズ低減ヘッドフォンは、周波数応答の異なる複数のスピーカーを備えた２つの耳に設定される。これらは、ノイズ低減および高品質のノイズ低減ヘッドフォンです。  
【０２１０】
実施例１１ 
【０２１１】
この実施例では、ウーファーを装備した最初の回路を使用している。  
【０２１２】
オンライン制御イヤホン（図２７）高周波スピーカーと低周波スピーカーを装備したノイズリダクションイヤホンは、２つのスピーカーのオーディオ信号入力チャンネルに分周回路を装備し、２.２μFの容量を持つ高周波スピーカー３０５にコンデンサC１が追加されている。  
【０２１３】
インダクタンスL１はベーススピーカー３０６のオーディオ信号入力端子のループから直列に接続され、インダクタンスは０.５７mHです。  
【０２１４】
図５６に示すように、高低域のクロスオーバーポイントは４５００HZとして選択されている。  
【０２１５】
実施例１２ 
【０２１６】
この実施例では、ウーファーを備えた２番目のタイプの回路が使用されている。  
【０２１７】
バイノーラル型ワイヤー制御ヘッドフォン（図２８）では、１.１μFの容量を持つコンデンサーC１がツイーター３０７の入力端子に直列に接続され、１.３１ mHのインダクタンスを持つインダクターL１が並列に接続され、インダクターL２がウーファーの入力端子に接続されている図５７に示すように、コンデンサC２を１.１μFの容量と並列に接続する。  
【０２１８】
実施例１３  
【０２１９】
この実施例では、３つの高低域スピーカーを備えた３ウェイ周波数構成の３番目の回路を使用している。  
【０２２０】
オンラインコントロールヘッドセット（図２８）に基づいて、各耳にスピーカー、送風管、リスニングキャビティのセットが追加される。つまり、３つの異なる周波数応答スピーカー、３つの異なる周波数応答音波チャネル、チャネル接続された音響空洞と音波チャンネルリード、クロスオーバーツイーター３０９の入力端子の１つは容量１μFのコンデンサC１に接続され、回路は容量１.０２mHのインダクタL１と並列に接続され、コンデンサC２はクロスオーバーミッドレンジスピーカー３１０の入力の前に接続される。容量１１.０６μFの後に容量１.０２mHのインダクタが続く。容量C２の容量１１.０６μFとインダクタンスL３の容量１.０２mHの間には、容量１１.３２mHのインダクタL２がスピーカーのもう一方の端に接続されている。図５８に示すように、コンデンサーC３、インダクターL４を備えた３ウェイサブウーファー３１１入力シリーズ、容量１１.３２mH、並列コンデンサーC４、容量１１.０６μF、クロスオーバー周波数バス４５０HZ、高周波５０００HZ線が表示されている。  
【０２２１】
実施例１４ 
【０２２２】
この実施例では、耳栓ヘッドと送風ダクトが接続する位置に送風ダクト可動コネクタを設けており、その構造は次のとおりです：  
【０２２３】
コネクタ１４Cには左右２つの逆さまボタンが設けられており、内径の一端は金属スリーブのエアダクト１５Cで覆われている。中空コアリベット１３Cはコネクタ１４Cにリベット留めされている。エアダクトの他端にもコネクタ１４C１が配置されている。 １４Cと同様に、スピーカーエンクロージャーの音波コンセントレーターに移動可能に接続できる。図６２と６３に示すように、エアダクトの両端の可動コネクターは対称であり、両端を交換できる。  
【０２２４】
このようにして、耳栓ヘッド構造のコネクティングチューブは、大中小のパープルになり、ユーザー自身が交換することができる。  
【０２２５】
実施例１５  
【０２２６】
この実施例では、別の構造の送風ダクト可動コネクタが、耳栓ヘッドが送風ダクトに接続されているポイントに提供されている。  
【０２２７】
通風ダクト可動ヘッドAA、一端はおねじ１８C、内穴２０Cの内径は通風ダクトの内径、可動ヘッドAAの他端の内端は通風ダクトの外径と同じ大きさに設定し、通風ダクト２４Cを挿入接着剤はしっかりしている。可動ヘッドAA １９Cの外径は、耳栓ヘッドと送風ダクトの２１Cサイズと同じである。耳栓ヘッドの内穴はネジ穴２２Cで加工されている。可動ヘッドAAの外ネジ１８Cと併用すると、そのサイズを回転させることができる。底部は交換可能で、耳栓ヘッドは赤で作られていて、エアダクト２４の他端は別の可動ヘッドBBに接続されていて、可動ヘッドBBの構造は可動ヘッドAAと同じで、可動ヘッド２５Cの内径はエアダクトの接着剤、ネジ山２６Cおよびスピーカーと一致しているケーシングのネジ穴は一致し、交換可能です。可動ヘッドAAと耳栓ヘッドチューブの間の接続部に装飾リングが追加され、可動ヘッドBBとスピーカーの間の接続部に装飾リングが追加される。可動ヘッドAAと可動ヘッドBBのねじ山は同じである。耳栓頭部のネジ穴２２Cやスピーカーのネジ穴と交換可能である。  
【０２２８】
実施例１６ 
【０２２９】
本発明の特許取得済みのノイズ低減イヤホンと変換プラグのコネクタは、Bluetoothイヤホンに適合したジャックとして設定され、耐放射線Bluetoothイヤホンとして使用される。  
【０２３０】
上記の開示は、本発明の好ましい実施形態にすぎず、もちろん、本発明の範囲を限定するために使用することはできず、したがって、本発明の特許請求の範囲に従ってなされた同等の変更は、依然として本発明の範囲内にある。
【手続補正２】
【補正対象書類名】特許請求の範囲
【補正対象項目名】全文
【補正方法】変更
【補正の内容】
【特許請求の範囲】
【請求項１】
音波集束器、空気ダクト、レシーバーを含み、音波集束器の大きな端に音声信号キャプチャーユニットが備えられており、音声信号キャプチャーユニットは外界をキャプチャするために使用されることを特徴とするノイズ低減空気ダクトマイクであり、音響信号と外部音響信号を増幅して音響波コンセントレーターの小端に送信し、音響波コンセントレーターの小端を空気ダクトに接続し、空気ダクトを受信装置に接続し、受信装置 送風管から送信された音波信号を受信して音声電気信号に変換し、受信装置は音声電気信号をコネクタを介して音声端末に送信する
ことを特徴とするノイズ低減空気ダクトマイク。
【請求項２】
前記音声信号取得部は、振動膜である
請求項１に記載のノイズ低減エアダクトマイク。 
【請求項３】
振動板の外面にカバーを追加し、カバーに複数の貫通孔を設けて、カバーが振動板を座屈させ、ソニックコンセントレーターの大きな端につながる
請求項２に記載のノイズ低減エアダクトマイク。 
【請求項４】
送風ダクトの他端が音響波増幅器の小端に接続され、音響波増幅器の大端が小型マイクロフォンの受信面から小型マイクロフォンに接続され、カバーの周囲とすべての接続部は密閉され、マイクを形成し、小型マイクの配線をアンプに接続し、実際のニーズに応じて増幅力を決定し、アンプの出力を金属シールド絶縁線に接続し、コネクタを介してコミュニケータなどの端子に接続する
請求項２に記載のノイズ低減エアダクトマイク。 
【請求項５】
前記音声信号取得部は、一次マイク、アンプ、スピーカを含み、前記スピーカの放音口は、前記音波集束器の大端と、前記音波集束器の小端とに接続され、送風ダクトが接続され、送風ダクトのもう一方の端がセカンダリ電話受信デバイスに接続され、セカンダリ電話受信デバイスは、エアダクトの音波信号を受信して音声電気信号に変換し、音声受信デバイスはコネクタを介して音声電気信号を変換する音声端末や通信機器を接続する
請求項１に記載のノイズ低減コンバータ。
【請求項６】
前記二次電話受信装置は、ホーン形状の音波増幅器を含み、前記音波増幅器の小さい端部は空気ダクトに接続され、前記音波増幅器ホーンは、口の大端はマイクに接続され、アンプはマイクの出力に接続され、アンプの出力端は金属シールド絶縁ラインに接続され、コネクタを介して音声端子に接続される
請求項１に記載のノイズ低減コンバータ。
【請求項７】
請求項１から６のいずれか一項に記載のノイズ低減エアダクトマイクを備えた
ことを特徴とするノイズ低減安全イヤホン。
【請求項８】
前記イヤホンは大型スピーカー、音波集束器、複合空気ダクト、右耳分岐空気ダクト、ティー、および左を含むバイノーラルヘッドセットであり、耳音響空洞と右耳音響空洞では、3つのリンクには長い端、もう一方の端、小さなパスチューブが含まれ、 
大型スピーカーの音は、音波集線器で集音された後、複合エアダクトを介して三方の長端に伝達され、三方の他端に接続された右耳支部エアダクトを介して研究所に伝達され右耳の音響空洞について説明し、
ティーの長い方の端の音は、ティーの小さなパイプを介して小さな音波集信装置に送られ、その後、左耳の音響空洞に送られる
請求項７に記載のノイズ低減安全イヤホン。
【請求項９】
前記小貫通管の内径は、長端部および他端部の内径よりも小さい
請求項８に記載の防音安全イヤホン。
【請求項１０】
プラグをさらに備え、プラグは、金属シールドされた絶縁ワイヤを介して大型スピーカーに接続される
請求項８に記載のノイズ低減安全イヤホン。
【請求項１１】
前第１のシールリング、第２のシールリングおよびエルボーをさらに含み、前記ティーの他端が前記第１のシールリングに接続され、右耳枝空気ダクト、右耳枝空気ダクトの他端は、第2のシールリングを介して肘に接続されており、肘は右耳の音響空洞に接続されている
請求項８に記載のノイズ低減安全イヤホン。
【請求項１２】
右耳の音響空洞の出口に多孔性カバープレートが設けられている
請求項８に記載のノイズ低減安全イヤホン。
【請求項１３】
複合空気ダクトが大きな管と小さな管を含み、スピーカーの音が音響空気コンセントレータを通過し、次に複合空気ダクトの大容量を通過し、チューブはティーの長い端に送信される
請求項８に記載のノイズ低減安全イヤホン。
【請求項１４】
前記イヤホンは、ノイズリダクションコンバーター、コンバーターハウジングおよびノイズリダクションユニバーサルトランスミッションアームをさらに含み、前記ノイズリダクションコンバーターは音であり、シグナルキャプチャユニットがコンバーターハウジングに提供され、コンバーターハウジングはノイズ低減ユニバーサルトランスミッションアームに接続され、サウンドシグナルキャプチャーユニットは小さな空気ダクトに接続されており、小さな空気ダクトは下部を通過しますノイズユニバーサルトランスミッションアームは左耳シェルのハードジョイントに接続され、ハードジョイントは複合エアダクトの小管に接続され、コンポジットエアダクトの小管は湾曲したハードチューブを介してマイク音波集束器の小端に接続され、マイク音波コンセントレータの大きな端はレシーバーに接続されている
請求項１３に記載のノイズリダクション安全イヤホン。
【請求項１５】
大型スピーカーのハウジングにマイクロフォンから大型スピーカーを絶縁するための第２の絶縁プレートがさらに設けられ、スピーカー、アンプ回路、プライマリーマイクを備え、スピーカー、アンプ回路、プライマリーマイクの間にプラグインの第1アイソレーションプレートを配置し、3つを隔離している
請求項１４に記載の騒音低減安全イヤホン。
【請求項１６】
ノイズ低減安全Ｂｌｕｅｔｏｏｔｈヘッドセット、請求項１から６のいずれか一項に記載のノイズ低減エアダクトマイクロホンに接続され、Ｂｌｕｅｔｏｏｔｈ入力がオーディオ入力を備え、ジャック、コネクタ、またはBluetoothヘッドセットのコネクタと変換コネクタは、 オーディオ入力ジャックとの信号接続を形成する
ことを特徴とするノイズ低減安全Bluetoothヘッドセット。
【国際調査報告】
2020536463.tif 000079
2020536463.tif 000080
2020536463.tif 000081
2020536463.tif 000082